(57)【要約】  【課題】完全ＩＤ管理のシステムにおいて、使用額に対応する消費税額を徴収し、かつ管理装置と通信できないオフライン状態で玉貸ユニットが貨幣を受け付けたときに一発貸しを行うようにしても、玉貸ユニットのコストが上昇することがないような遊技用システムを提供する。  【解決手段】玉貸ユニット２０は、オフライン状態で貨幣を受け付けると（Ｓ４１１）、受付貨幣額から、予め定められた一単位である単位使用額と該単位使用額に対応する消費税額との合算額である税込単位額の整数倍に相当する貸与対象額と、該税込単位額未満の端数額とを特定し（Ｓ４１４）、該特定された貸与対象額分の玉貸処理を行うと共に（Ｓ４１５）、該特定された端数額をビジタコイン５に記録して排出するので（Ｓ４３３，Ｓ４３５）、該端数額を処理するための釣銭払出機能や追加入金機能を玉貸ユニットに設ける必要がない。【選択図】        図９
2006326002.tif 000002
【特許請求の範囲】
【請求項１】
記録媒体を個々に識別可能な記録媒体識別情報に対応付けて遊技媒体の貸与に使用される残額を管理する管理装置と、
遊技機に対応して設けられ、貨幣を受け付ける貨幣受付手段と、該貨幣受付手段により受け付けた貨幣の金額である受付貨幣額の範囲内で遊技媒体を貸与するための第１の貸与処理を行う貸与処理手段と、前記受付貨幣額から第１の貸与処理に使用された使用額及び該使用額に対応する間接税額を減算した金額を前記残額として、前記記録媒体の記録媒体識別情報に対応付けて前記管理装置にて管理するための処理を行う残額処理手段と、該残額処理手段による処理の対象となった記録媒体に前記残額を記録することなく排出する第１の排出処理を行う記録媒体排出処理手段と、を有する遊技用装置と、
該第１の排出処理により排出された記録媒体を受け付けて、該受け付けた記録媒体の記録媒体識別情報に対応付けて前記管理装置で管理されている残額に相当する貨幣を払い出す精算装置と、
を備える遊技用システムであって、
前記遊技用装置は、
前記管理装置と通信できる通信可能状態であるか通信できない通信不可能状態であるかを検知する通信可否検知手段と、
該通信可否検知手段により通信不可能状態を検知しているときに前記貨幣受付手段により貨幣を受け付けたことに基づいて、前記受付貨幣額から、前記残額を遊技媒体の貸与に使用する際の予め定められた一単位である単位使用額と該単位使用額に対応する間接税額との合算額である税込単位額の整数倍に相当する貸与対象額と、該税込単位額未満の端数額とを特定する特定手段と、をさらに有し、
遊技者の操作によることなく、該特定手段により特定された貸与対象額分の遊技媒体を貸与するための第２の貸与処理を前記貸与処理手段により行い、
前記特定手段により特定された端数額を記録した前記記録媒体を排出する第２の排出処理を前記記録媒体排出処理手段により行い、
前記通信可否検知手段により通信不可能状態を検知しているときに、前記第２の排出処理により排出された記録媒体を受け付け、さらに前記貨幣受付手段により貨幣を受け付けたことに基づいて、該受け付けた記録媒体に記録されている端数額と前記受付貨幣額との合算額から、前記貸与対象額を特定すると共に、前記端数額を新たに特定する処理を前記特定手段により行い、
前記精算装置は、前記第２の排出処理により排出された記録媒体を受け付けて、該受け付けた記録媒体に記録されている端数額に相当する貨幣を払い出すことを特徴とする遊技用システム。
【請求項２】
請求項１に記載した遊技用システムであって、
前記精算装置は、前記第２の排出処理により排出された記録媒体を受け付けたことに基づいて、該受け付けた記録媒体に記録されている記録媒体識別情報を少なくとも含む精算要求を前記管理装置に対して送信する精算要求送信手段をさらに有し、
前記管理装置は、前記精算要求送信手段から送信されてきた精算要求に含まれる記録媒体識別情報に対応付けて管理している残額又は該残額と前記記録媒体に記録されている端数額との合算額を含む合算額精算許諾情報を前記精算装置に対して送信する精算許諾情報送信手段をさらに有し、
前記精算装置は、前記精算許諾情報送信手段から送信されてきた合算額精算許諾情報から特定される前記残額と前記端数額との合算額に相当する貨幣を払い出すことを特徴とする遊技用システム。
【請求項３】
請求項１又は２に記載した遊技用システムであって、
前記遊技用装置は、
前記通信可否検知手段により通信不可能状態を検知しているときに、前記第２の排出処理により排出された記録媒体を受け付け、さらに前記貨幣受付手段により貨幣を受け付けたことに基づいて、前記受け付けた記録媒体に記録されている端数額と前記受付貨幣額との合算額が前記税込単位額以上であるか否かを判定する合算額判定手段をさらに有し、
該合算額判定手段により税込単位額以上であると判定されたことを条件として、前記受け付けた貨幣を回収し、前記特定手段による特定を行う一方、前記合算額判定手段により税込単位額未満であると判定されたことを条件として、前記受け付けた貨幣を返却し、前記特定手段による特定を行わないことを特徴とする遊技用システム。
【請求項４】
請求項１〜３のいずれか１つに記載した遊技用システムであって、
前記精算装置で受け付けた記録媒体に記録されている端数額が予め定められた所定の金額未満であるか否かを判定する端数額判定手段をさらに備え、
前記精算装置は、該端数額判定手段により端数額が所定の金額未満であると判定されたことを条件として、該端数額に相当する貨幣を払い出すことを特徴とする遊技用システム。
【請求項５】
請求項１〜４のいずれか１つに記載した遊技用システムであって、
前記管理装置は、
前記精算装置での精算が可能な精算可能期間を設定する精算可能期間設定手段と、
前記精算可能期間内に前記通信不可能状態が発生したか否かを判定する通信不可能状態発生判定手段と、をさらに有し、
前記精算装置は、前記通信不可能状態発生判定手段により通信不可能状態が発生したと判定されたことを条件として、前記端数額に相当する貨幣を払い出すことを特徴とする遊技用システム。
【発明の詳細な説明】
【技術分野】
【０００１】
本発明は、遊技媒体の貸与に使用される残額を、記録媒体には記録せずに、該記録媒体を個々に識別可能な記録媒体識別情報に対応付けて管理する（いわゆる完全ＩＤ管理を行う）遊技用システムに係り、特に該残額の管理を行う管理装置と通信可能な遊技用装置において、前記残額を使用して遊技媒体を貸与する貸与処理を行う際に、前記残額から該貸与処理に使用された使用額及び該使用額に対応する間接税額（例えば消費税額）を減算すると共に、管理装置と通信できない通信不可能状態で貨幣を受け付けたときに、受付貨幣額から税込単位額（例えば１０５円）の整数倍に相当する貸与対象額を特定して、遊技者の操作によることなく、該貸与対象額分の貸与処理（いわゆる一発貸し）を行う遊技用システムに関する。
【背景技術】
【０００２】
従来より、特許文献１に示すように、遊技媒体の貸与に使用される残度数（本願の残額に相当）を各カード（本願の記録媒体に相当）には記録せずに、各カードの識別符号（本願の記録媒体識別情報に相当）に対応付けて管理装置にて管理すると共に、カード処理ユニット（本願の遊技用装置に相当）において遊技媒体貸出処理（本願の貸与処理に相当）が行われると、前記残度数を遊技媒体の貸与に応じて減算する、いわゆる「完全ＩＤ管理」を行うシステムが知られている。
【０００３】
また、特許文献２に示すように、パチンコ機に対応して設けられる玉貸機（本願の遊技用装置に相当）において、有価価値データ（本願の残額に相当）を特定可能な有価価値特定情報が記録されたカード（本願の記録媒体に相当）を受け付けて、該受け付けたカードに記録されている有価価値特定情報から特定される有価価値データを使用してパチンコ玉を貸与する貸与処理を行う際に、例えば５００円分のパチンコ玉をパチンコ機から貸与する一方で、該パチンコ玉の貸与に使用された使用額である５００円及び該使用額に対応する消費税額である２５円（消費税率が５％の場合）を前記カードの有価価値データから減算する、即ち「貸与処理に使用された使用額に対応する消費税額を徴収」するシステムが知られている。ここで消費税は間接税の一例であって、遊技場において提供される遊技サービスに対して課税されるものである。
【０００４】
さらに、特許文献３に示すように、管理装置と通信できない通信不可能状態で遊技用装置が貨幣を受け付けたときに、受付貨幣額を一旦記憶した後に減算して（即ち受付貨幣額のすべてを使用して）、遊技者の操作によることなく、該受付貨幣額分の遊技媒体を貸与する、いわゆる「一発貸し」を行うシステムも知られている。
【０００５】
【特許文献１】特開２００３−３０５１５号公報（図１，図６，段落００７６）
【特許文献２】特開２００２−１２３６５１号公報（図１１〜図１３，段落００４０，００４２）
【特許文献３】特開２００５−１３４６５号公報（図１５，段落００５３，００９９）
【発明の開示】
【発明が解決しようとする課題】
【０００６】
しかしながら、特許文献１に示す完全ＩＤ管理のシステムにおいて、特許文献２に示すように貸与処理に使用された使用額に対応する間接税額を徴収し、かつ特許文献３に示すように管理装置と通信できない通信不可能状態で遊技用装置が貨幣を受け付けたときに一発貸しを行うと、予め定められた一単位である単位使用額（例えば１００円）と該単位使用額に対応する間接税額（税率が５％の場合には５円）との合算額である税込単位額（即ち１０５円）未満の端数額が発生する。具体的には、１０００円を受け付けて一発貸しを行うと、税込単位額である１０５円の９倍分の遊技媒体が貸与される一方、５５円の端数額が発生する。この端数額を処理するためには、前記遊技用装置に、該端数額に相当する貨幣を払い出すための釣銭払出機能や、低額貨幣の追加入金を受け付けて該端数額が税込単位額に達するようにするための追加入金機能を設ける必要があり、遊技用装置のコストが上昇するという問題点がある。
【０００７】
本発明は、このような背景のもとになされたものであり、その目的は、完全ＩＤ管理のシステムにおいて、貸与処理に使用された使用額に対応する間接税額を徴収し、かつ管理装置と通信できない通信不可能状態で遊技用装置が貨幣を受け付けたときに一発貸しを行うようにしても、遊技用装置のコストが上昇することがないような遊技用システムを提供することにある。
【課題を解決するための手段】
【０００８】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００９】
まず請求項１に係る発明は、記録媒体（会員カード４，ビジタコイン５）を個々に識別可能な記録媒体識別情報（記録媒体ＩＤ）に対応付けて遊技媒体（パチンコ玉）の貸与に使用される残額を管理する管理装置（５０）と、遊技機（パチンコ機１０）に対応して設けられ、貨幣（紙幣２，硬貨３）を受け付ける貨幣受付手段（紙幣識別機２２，硬貨識別機２３）と、該貨幣受付手段により受け付けた貨幣の金額である受付貨幣額の範囲内で遊技媒体を貸与するための第１の貸与処理（使用額分の玉貸処理）を行う貸与処理手段（制御部２１）と、前記受付貨幣額から第１の貸与処理に使用された使用額及び該使用額に対応する間接税額を減算した金額を前記残額として、前記記録媒体の記録媒体識別情報に対応付けて前記管理装置にて管理するための処理を行う残額処理手段（制御部２１）と、該残額処理手段による処理の対象となった記録媒体に前記残額を記録することなく排出する第１の排出処理を行う記録媒体排出処理手段（制御部２１）と、を有する遊技用装置（玉貸ユニット２０）と、該第１の排出処理により排出された記録媒体を受け付けて、該受け付けた記録媒体の記録媒体識別情報に対応付けて前記管理装置で管理されている残額に相当する貨幣を払い出す精算装置（６０）と、を備える遊技用システム（１）であって、前記遊技用装置は、前記管理装置と通信できる通信可能状態（オンライン状態）であるか通信できない通信不可能状態（オフライン状態）であるかを検知する通信可否検知手段（制御部２１）と、該通信可否検知手段により通信不可能状態を検知しているときに前記貨幣受付手段により貨幣を受け付けたことに基づいて、前記受付貨幣額から、前記残額を遊技媒体の貸与に使用する際の予め定められた一単位である単位使用額と該単位使用額に対応する間接税額（消費税額）との合算額である税込単位額の整数倍に相当する貸与対象額と、該税込単位額未満の端数額とを特定する特定手段（制御部２１）と、をさらに有し、遊技者の操作によることなく、該特定手段により特定された貸与対象額分の遊技媒体を貸与するための第２の貸与処理（貸与対象額分の玉貸処理）を前記貸与処理手段により行い、前記特定手段により特定された端数額を記録した前記記録媒体を排出する第２の排出処理を前記記録媒体排出処理手段により行い、前記通信可否検知手段により通信不可能状態を検知しているときに、前記第２の排出処理により排出された記録媒体を受け付け、さらに前記貨幣受付手段により貨幣を受け付けたことに基づいて、該受け付けた記録媒体に記録されている端数額と前記受付貨幣額との合算額から、前記貸与対象額を特定すると共に、前記端数額を新たに特定する処理を前記特定手段により行い、前記精算装置は、前記第２の排出処理により排出された記録媒体を受け付けて、該受け付けた記録媒体に記録されている端数額に相当する貨幣を払い出すことを特徴とする遊技用システムである。
【００１０】
また請求項２に係る発明は、請求項１に記載した遊技用システム（１）であって、前記精算装置（６０）は、前記第２の排出処理により排出された記録媒体（会員カード４，ビジタコイン５）を受け付けたことに基づいて、該受け付けた記録媒体に記録されている記録媒体識別情報（記録媒体ＩＤ）を少なくとも含む精算要求を前記管理装置（５０）に対して送信する精算要求送信手段（通信部６１）をさらに有し、前記管理装置は、前記精算要求送信手段から送信されてきた精算要求に含まれる記録媒体識別情報に対応付けて管理している残額又は該残額と前記記録媒体に記録されている端数額との合算額を含む合算額精算許諾情報を前記精算装置に対して送信する精算許諾情報送信手段（通信部５１）をさらに有し、前記精算装置は、前記精算許諾情報送信手段から送信されてきた合算額精算許諾情報から特定される前記残額と前記端数額との合算額に相当する貨幣を払い出すことを特徴とする遊技用システムである。
【００１１】
また請求項３に係る発明は、請求項１又は２に記載した遊技用システム（１）であって、前記遊技用装置（玉貸ユニット２０）は、前記通信可否検知手段（制御部２１）により通信不可能状態（オフライン状態）を検知しているときに、前記第２の排出処理により排出された記録媒体（会員カード４，ビジタコイン５）を受け付け、さらに前記貨幣受付手段（紙幣識別機２２，硬貨識別機２３）により貨幣（紙幣２，硬貨３）を受け付けたことに基づいて、前記受け付けた記録媒体に記録されている端数額と前記受付貨幣額との合算額が前記税込単位額以上であるか否かを判定する合算額判定手段（制御部２１）をさらに有し、該合算額判定手段により税込単位額以上であると判定されたことを条件として、前記受け付けた貨幣を回収し、前記特定手段（制御部２１）による特定を行う一方、前記合算額判定手段により税込単位額未満であると判定されたことを条件として、前記受け付けた貨幣を返却し、前記特定手段による特定を行わないことを特徴とする遊技用システムである。
【００１２】
また請求項４に係る発明は、請求項１〜３のいずれか１つに記載した遊技用システム（１）であって、前記精算装置（６０）で受け付けた記録媒体（会員カード４，ビジタコイン５）に記録されている端数額が予め定められた所定の金額（税込単位額）未満であるか否かを判定する端数額判定手段（制御部６２）をさらに備え、前記精算装置は、該端数額判定手段により端数額が所定の金額未満であると判定されたことを条件として、該端数額に相当する貨幣を払い出すことを特徴とする遊技用システムである。
【００１３】
さらに請求項５に係る発明は、請求項１〜４のいずれか１つに記載した遊技用システム（１）であって、前記管理装置（５０）は、前記精算装置（６０）での精算が可能な精算可能期間（当日）を設定する精算可能期間設定手段（ディスプレイ５３，入力装置５４）と、前記精算可能期間内に前記通信不可能状態（オフライン状態）が発生したか否かを判定する通信不可能状態発生判定手段（制御部５２）と、をさらに有し、前記精算装置は、前記通信不可能状態発生判定手段により通信不可能状態が発生したと判定されたことを条件として、前記端数額に相当する貨幣を払い出すことを特徴とする遊技用システムである。
【００１４】
なお遊技用装置（玉貸ユニット２０）は、遊技機（パチンコ機１０）に対応して設けられ、遊技媒体（パチンコ玉）の貸与に使用される残額を特定可能な残額特定情報（記録媒体ＩＤ）が記録される円盤状記録媒体（ビジタコイン５）の投入を外部から受け付ける記録媒体投入口（コイン投入口２５）と、該記録媒体投入口から投入された円盤状記録媒体を保持する第１の保持部（投入コイン保持部２６Ｐ）と、該第１の保持部に連通し、前記円盤状記録媒体を一列に並べて収納する記録媒体収納部（コイン収納部２７ａ）と、該記録媒体収納部から排出された円盤状記録媒体を保持する第２の保持部（収納コイン保持部２７Ｐ）と、前記第１の保持部で保持している円盤状記録媒体及び前記第２の保持部で保持している円盤状記録媒体を外部に返却する記録媒体返却口（コイン返却口２８）と、始端側で前記第１の保持部に連通すると共に終端側で前記記録媒体返却口に連通し、前記第１の保持部で保持している円盤状記録媒体を前記記録媒体返却口に導くための第１の返却通路（投入コイン返却通路２６ｄ）と、始端側で前記第２の保持部に連通すると共に終端側で前記記録媒体返却口に連通し、前記第２の保持部で保持している円盤状記録媒体を前記記録媒体返却口に導くための第２の返却通路（収納コイン返却通路２７ｄ）と、前記第１の保持部に対応して設けられ、該第１の保持部で保持している円盤状記録媒体の残額特定情報を読み取る第１の読取手段（上部アンテナ２６）と、前記第２の保持部に対応して設けられ、該第２の保持部で保持している円盤状記録媒体の残額特定情報を読み取る第２の読取手段（下部アンテナ２７）と、貨幣（紙幣２，硬貨３）を受け付ける貨幣受付手段（紙幣識別機２２，硬貨識別機２３）と、前記第１の読取手段により読み取った残額特定情報から特定される残額の範囲内で遊技媒体を貸与するための残額貸与処理を行うと共に、前記貨幣受付手段により受け付けた貨幣の金額である受付貨幣額の範囲内で遊技媒体を貸与するための受付貨幣額貸与処理を行う貸与処理手段（制御部２１）と、前記受付貨幣額から該受付貨幣額貸与処理に使用された使用額を減算した金額を前記残額として、前記第２の読取手段により読み取った残額特定情報から特定可能にするための残額特定処理を行う残額特定処理手段（制御部２１）と、を有する遊技用装置であって、前記第１の返却通路と前記第２の返却通路とがそれぞれ別個に形成され、該第１の返却通路と第２の返却通路とがそれぞれ別個に前記記録媒体返却口に連通していることを特徴とする遊技用装置としても良い。これによれば、第１の返却通路と第２の返却通路とがそれぞれ別個に形成され、該第１の返却通路と第２の返却通路とがそれぞれ別個に記録媒体返却口に連通していることにより、第１の返却通路と第２の返却通路が途中で合流して記録媒体返却口に連通する場合と比べて、第２の読取手段を遊技用装置の内部における前方に設けることができるので、限られた奥行きの範囲内で記録媒体収納部の収納スペースを拡張して記録媒体の収納枚数を向上できる。
【発明の効果】
【００１５】
まず請求項１に係る遊技用システムによれば、いわゆる完全ＩＤ管理のシステムにおいて、貸与処理に使用された使用額に対応する間接税額を徴収し、かつ管理装置と通信できない通信不可能状態で遊技用装置が貨幣を受け付けたときにいわゆる一発貸しを行うようにしても、該一発貸しによって発生する端数額が記録媒体に記録されて排出され、該端数額の精算が行われることにより、該端数額を処理するための釣銭払出機能や追加入金機能を遊技用装置に設ける必要がないので、遊技用装置のコストが上昇することがなく、しかも通信不可能状態にある遊技用装置において、通信不可能状態にあった他の遊技用装置で発生した端数額が記録された記録媒体が受け付けられ、さらに貨幣が受け付けられると、該端数額と受付貨幣額との合算額から貸与対象額と端数額が特定されることにより、通信不可能状態にあった他の遊技用装置で発生した端数額を遊技に使用できるようになるので、端数額が記録された記録媒体を複数扱う必要がなくなって、遊技者の利便性が向上する。
【００１６】
また請求項２に係る遊技用システムによれば、精算装置において、管理装置で管理されている残額と通信不可能状態にあった遊技用装置で発生した端数額との合算額に相当する貨幣が払い出されることにより、該合算額を１回で精算できるので、遊技者の利便性が向上する。
【００１７】
また請求項３に係る遊技用システムによれば、通信不可能状態にある遊技用装置において、通信不可能状態にあった他の遊技用装置で発生した端数額が記録されている記録媒体が受け付けられ、さらに貨幣が受け付けられると、該端数額と受付貨幣額との合算額が税込単位額以上であることを条件として、受け付けた貨幣が回収されて貸与対象額分の貸与処理が行われることにより、税込単位額未満の低額貨幣も使用可能となるので、遊技者の利便性が向上する。
【００１８】
また請求項４に係る遊技用システムによれば、記録媒体に記録されている端数額が予め定められた所定の金額未満であることを条件として端数額の精算が行われることにより、記録情報が改ざんされた記録媒体により不正に精算が行われたとしても前記所定の金額未満の貨幣しか払い出されないので、不正による被害を最小限に抑えることができる。
【００１９】
さらに請求項５に係る遊技用システムによれば、精算可能期間内に通信不可能状態が発生したと判定されたことを条件として端数額の精算が行われることにより、精算可能期間内に通信不可能状態が発生しておらず記録媒体に端数額が記録されることがない状況においては端数額の精算が行われないので、セキュリティが向上する。
【発明を実施するための最良の形態】
【００２０】
以下、本発明の実施の形態を、図面を参照して説明する。本発明に係る遊技用システム１は、図１に示すように、遊技媒体（パチンコ玉）の貸与に使用される残額を、記録媒体（会員カード４，ビジタコイン５）には記録せずに、該記録媒体を個々に識別可能な記録媒体識別情報（記録媒体ＩＤ）に対応付けて管理するもの（いわゆる完全ＩＤ管理を行うもの）であり、特に該残額の管理を行う管理装置５０と通信可能な遊技用装置（玉貸ユニット２０）において、前記残額を使用して遊技媒体を貸与する貸与処理を行う際に、前記残額から該貸与処理に使用された使用額及び該使用額に対応する間接税額（例えば消費税額）を減算すると共に、管理装置５０と通信できない通信不可能状態（オフライン状態）で貨幣を受け付けたときに、受付貨幣額から税込単位額（例えば１０５円）の整数倍に相当する貸与対象額を特定して、遊技者の操作によることなく、該貸与対象額分の貸与処理（いわゆる一発貸し）を行うものである。そして該一発貸しによって発生する端数額を記録媒体に記録して排出し、該端数額の精算が可能であることを特徴とするものである。
【００２１】
本発明に係る遊技用システム１は、上記のような完全ＩＤ管理を採用したことにより、記録媒体には遊技媒体の貸与に使用される残額を記録しないので、残額が改ざんされるおそれはなく、セキュリティを担保できて、記録媒体のコストを下げることができる。即ち、例えば記録媒体がＩＣカードやＩＣコインである場合において、該記録媒体に残額を記録してセキュリティを担保しようとすれば、該記録媒体にＣＰＵを搭載して記録残額の管理を行う必要があるが、本発明の如く記録媒体に残額を記録しないのであれば、該記録媒体にＣＰＵを搭載しなくても良いので、記録媒体のコストを下げることができる。また記録媒体にＣＰＵを搭載すると、該ＣＰＵとの間で情報のやりとりを行うために、遊技用装置側の制御プログラムが複雑になるので、システムの設計コストが高くなるが、記録媒体にＣＰＵを搭載しないのであれば、該制御プログラムは複雑にならずに済むので、システムの設計コストを低くすることができる。
【００２２】
以下においては、遊技機がパチンコ機１０であり、遊技媒体がパチンコ玉であり、貸与処理が玉貸処理である例について説明する。また、以下においては、間接税が、既に導入されている消費税である例について説明するが、該間接税は、今後導入の可能性もあり得る遊技税等であっても良い。ここで消費税率は、この例では５％であり、会員カード４やビジタコイン５を発行するカード会社（図示外）で設定されて、遊技場に設けられた管理装置５０に対して配信され、玉貸ユニット２０に対して配信されて記憶される。さらに、以下においては、使用額及び該使用額に対応する消費税額を「使用額＋消費税額」，リーダ／ライタを「Ｒ／Ｗ」，データベースを「ＤＢ」，ステップＳを「Ｓ」と略記する。
【００２３】
まず、図１〜図５を参照して、遊技用システム１の構成について説明する。この遊技用システム１は、図１に示すように、パチンコ機１０に対応して設けられる玉貸ユニット２０と、該玉貸ユニット２０と通信可能な管理装置５０と、該管理装置５０と通信可能な精算装置６０とを備える。
【００２４】
この遊技用システム１では、紙幣２，硬貨３，会員カード４，及びビジタコイン５が使用される。紙幣２は貨幣の一例であって、図２（ｂ）に示すように、ここでは１０００円紙幣，２０００円紙幣，５０００円紙幣，及び１００００円紙幣の４種類が使用される。硬貨３も貨幣の一例であって、図２（ｂ）に示すように、ここでは５００円硬貨，及び１００円硬貨の２種類が使用される。
【００２５】
会員カード４は記録媒体の一例であって、該記録媒体を個々に識別可能な記録媒体識別情報である記録媒体ＩＤとして、カードＩＤが記録されている。ここで会員カード４の記録媒体ＩＤは、図１の表に示すように、会員遊技者＝メンバーを示すＭで始まる４桁の番号である。この遊技用システム１では完全ＩＤ管理が採用されているので、該会員カード４には、パチンコ玉の貸与に使用される残額（後述する単位使用額である１００円に、対応する消費税額である５円を加算した１０５円以上の金額）は記録されないが、前記一発貸しによって発生する端数額（後述する単位使用額である１００円に、対応する消費税額である５円を加算した１０５円未満の金額）が記録される。
【００２６】
この会員カード４は、長方形状を呈するプラスチック製の薄板における所定の部位に、記録媒体ＩＤ及び端数額等が記録される記録領域（図示外）が形成されてなるものであり、ここでは該記録領域として不揮発性のＥＥＰＲＯＭを備える非接触式の集積回路を搭載したＩＣカードである。この会員カード４は、会員登録を行った遊技者に対して発行されるものである。
【００２７】
このようにして発行された会員カード４を、遊技者が玉貸ユニット２０のカード挿入口２４ａから挿入することにより、該会員カード４の記録媒体ＩＤと対応付けて管理装置５０で管理されている残額を遊技媒体の貸与に使用可能となり、遊技者が精算装置６０のカード挿入口６４ａから挿入することにより、該会員カード４の記録媒体ＩＤと対応付けて管理装置５０で管理されている残額，及び該会員カード４に端数額が記録されている場合には当該端数額を精算可能となる。
【００２８】
なお、以下において、「ビジタ」とは、会員カード４を所持していない遊技者，あるいは会員カード４を所持していても使用しない遊技者を意味する。従って、会員カード４の発行を受けた会員遊技者であっても、会員カード４を所持していない（会員カード４を忘れてきた等）場合や、会員カード４を所持していても使用しない場合には、ビジタとなる。
【００２９】
ビジタコイン５は記録媒体の一例であって、該記録媒体を個々に識別可能な記録媒体識別情報である記録媒体ＩＤとして、コインＩＤが記録されている。またビジタコイン５は円盤状記録媒体の一例でもあって、パチンコ玉の貸与に使用される残額を特定可能な残額特定情報が記録されるものであり、ここでは記録媒体ＩＤが残額特定情報に相当する。ここでビジタコイン５の記録媒体ＩＤは、図１の表に示すように、会員以外の遊技者＝ビジタを示すＶで始まる４桁の番号である。この遊技用システム１では完全ＩＤ管理が採用されているので、該ビジタコイン５にも、パチンコ玉の貸与に使用される残額（後述する単位使用額である１００円に、対応する消費税額である５円を加算した１０５円以上の金額）は記録されないが、前記一発貸しによって発生する端数額（後述する単位使用額である１００円に、対応する消費税額である５円を加算した１０５円未満の金額）が記録される。
【００３０】
このビジタコイン５は、円盤状を呈するプラスチック製のコインにおける所定の部位に、記録媒体ＩＤ及び端数額等が記録される記録領域（図示外）が形成されてなるものであり、ここでは該記録領域として不揮発性のＥＥＰＲＯＭを備える非接触式の集積回路を搭載したＩＣコインである。このビジタコイン５は、予め記録媒体ＩＤが記録されている状態でカード会社から遊技場に納入されて、玉貸ユニット２０の後述するコイン収納部２７ａに収納される。そして管理装置５０と通信可能状態（オンライン状態）にある玉貸ユニット２０において、会員カード４又はビジタコイン５を受け付けていない状態で貨幣を受け付けた後、遊技者から排出操作（後述する返却ボタン１６の操作）を受け付けたことに基づいて、受付貨幣額のうちの玉貸処理に使用されていない残額が零でないことを条件として、該ビジタコイン５が発行（排出）される。
【００３１】
このようにして発行されたビジタコイン５を、遊技者が玉貸ユニット２０のコイン投入口２５から投入することにより、該ビジタコイン５の記録媒体ＩＤと対応付けて管理装置５０で管理されている残額を遊技媒体の貸与に使用可能となり、遊技者が精算装置６０のコイン投入口６５ａから投入することにより、該ビジタコイン５の記録媒体ＩＤと対応付けて管理装置５０で管理されている残額，及び該ビジタコイン５に端数額が記録されている場合には当該端数額を精算可能となる。
【００３２】
玉貸ユニット２０に対応して設けられるパチンコ機１０は遊技機の一例であって、遊技媒体であるパチンコ玉を遊技領域に打ち込むことにより遊技を行うものであり、ここでは対応する玉貸ユニット２０との間でパチンコ玉の貸与に関する信号のやり取りが行われて玉貸処理が行われる、いわゆるＣＲ式のパチンコ機である。このパチンコ機１０は、遊技場に配置された遊技島（図示外）において該パチンコ機１０の機種等に従って設置されている。
【００３３】
このパチンコ機１０は、図２（ａ）に示すように、その前面に遊技領域，上皿，下皿，及び発射ハンドル等を備えると共に、残度数表示器１４，玉貸ボタン１５，及び返却ボタン１６を備え、図１に示すように、その内部に遊技制御基板１１，払出制御基板１２，及び玉払出装置１３等を備えており、これらの各構成要素は図１に示すように接続されている。
【００３４】
遊技制御基板１１は、パチンコ機１０における遊技状態を制御するものである。払出制御基板１２は、玉貸ユニット２０の後述する玉貸通信部２１ａと通信可能に接続され、後述する玉貸処理が行われる場合に、パチンコ機１０と玉貸ユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４，玉貸ボタン１５，及び返却ボタン１６とも接続されている。玉払出装置１３は、玉貸処理が行われて遊技者に貸し出されたパチンコ玉や、遊技の結果として遊技者に付与されるパチンコ玉（いわゆる賞球）を払い出すものである。ここで残度数表示器１４，玉貸ボタン１５，及び返却ボタン１６は、パチンコ機１０の前面に配置されているものであるが、前記払出制御基板１２を介して玉貸ユニット２０と通信可能に接続されているため、玉貸ユニット２０に属するものである。
【００３５】
残度数表示器１４は、玉貸ユニット２０の制御部２１のＲＡＭに記憶されている残額を税込単位額で除算した商の整数部分を残度数として表示するための表示器であり、ここでは２桁の７セグメント表示器である。ここで税込単位額は、残額をパチンコ玉の貸与に使用する際の予め定められた一単位である単位使用額と該単位使用額に対応する消費税額との合算額である。例えば単位使用額が１００円であり、消費税率が５％の場合には、税込単位額は１０５円であり、該１０５円が１度数となる。
【００３６】
玉貸ボタン１５は、玉貸ユニット２０の制御部２１のＲＡＭに記憶されている残額を使用した玉貸操作を遊技者から受け付けるボタンである。返却ボタン１６は、後述するカード保持部２４Ｐで保持されている会員カード４，後述する投入コイン保持部２６Ｐで保持されているビジタコイン５，又は後述する収納コイン保持部２７Ｐで保持されているビジタコイン５の返却操作を遊技者から受け付けるボタンである。
【００３７】
玉貸ユニット２０は遊技用装置の一例であって、パチンコ機１０に対応して設けられ、縦長の箱型の形状を呈するものであり、図２（ａ）に示すように、その前面に多機能ランプ２９，紙幣挿入口２２ａ，硬貨投入口２３ａ，硬貨返却ボタン２３ｅ，残額表示器３０，硬貨返却口２３ｆ，コイン投入口２５，コイン返却口２７，及びカード挿入口２４ａ等を備え、図２（ｂ）及び図２（ｃ）に示すように、その内部に紙幣識別機２２，制御部２１，玉貸通信部２１ａ，外部通信部２１ｂ，硬貨識別機２３，投入コイン保持部２６Ｐ（図示外）に対応する上部アンテナ２６，投入コイン返却通路２６ｄ，コイン収納部２７ａ，収納コイン保持部２７Ｐ（図示外）とカード保持部２４Ｐに対応する下部アンテナ２７，収納コイン返却通路２７ｄ，及び記録媒体Ｒ／Ｗ２４等を備えており、これらの各構成要素は図１に示すように接続されている。この玉貸ユニット２０は、ユニットＩＤにより、各玉貸ユニット２０を個々に識別可能とされている。
【００３８】
制御部２１は、ＣＰＵ，ＲＡＭ，ＲＯＭ等を備えており、ＲＯＭに記憶されている処理プログラムがＲＡＭを作業領域としてＣＰＵで実行されることにより、玉貸ユニット２０に備えられる各構成要素の動作を制御して各種の処理を行うものである。この制御部２１のＲＡＭは、管理装置５０とオンライン状態では、管理装置５０で管理されている残額を含む残額通知が送信されてきたことに基づいて該残額を記憶し、管理装置５０とオフライン状態では、後述する特定手段（制御部２１）により特定された貸与対象額を記憶するものである。また制御部２１のＲＡＭは端数額記憶手段の一例であって、後述する特定手段（制御部２１）により特定された端数額を記憶するものである。この制御部２１の他の機能については後述する。
【００３９】
制御部２１には、玉貸通信部２１ａと外部通信部２１ｂが設けられている。玉貸通信部２１ａは、前述の如く、パチンコ機１０の払出制御基板１２と通信可能に接続されている。外部通信部２１ｂは、管理装置５０の後述する通信部５１と通信可能に接続されており、玉貸ユニット２０と管理装置５０との間における通信を司るものである。この外部通信部２１ｂは、後述する通信可否検知手段（制御部２１）により通信可能状態（オンライン状態）を検知しているときに、以下のような処理を行う。
【００４０】
即ち外部通信部２１ｂは、オンライン状態を検知しているときに貨幣を受け付けたことに基づいて、記録媒体ＩＤと受付貨幣額とを含む入金要求を管理装置５０に対して送信する。具体的には、記録媒体（会員カード４，ビジタコイン５）を受け付けていない状態で貨幣を受け付けたときには、収納コイン保持部２７Ｐで保持しているビジタコイン５のコインＩＤと受付貨幣額とを含む入金要求を送信し、会員カード４の挿入を受け付けている状態で貨幣を受け付けたときには、カード保持部２４Ｐで保持している該会員カード４のカードＩＤと受付貨幣額とを含む入金要求を送信し、ビジタコイン５の投入を受け付けている状態で貨幣を受け付けたときには、投入コイン保持部２６Ｐで保持している該ビジタコイン５のコインＩＤと受付貨幣額とを含む入金要求を送信する。即ち入金要求には、収納コイン保持部２７Ｐで保持しているビジタコイン５のコインＩＤ，カード保持部２４Ｐで保持している会員カード４のカードＩＤ，又は投入コイン保持部２６Ｐで保持しているビジタコイン５のコインＩＤのいずれかが、記録媒体ＩＤとして含まれる。この入金要求を受信した管理装置５０では、後述する制御部５２により、該入金要求に含まれる受付貨幣額を該入金要求に含まれる記録媒体ＩＤに対応付けて管理している管理残額に対して加算更新する入金処理が行われ、該管理装置５０から、入金処理が完了した旨を示す入金完了通知として、ここでは管理されている残額を含む残額通知が返信されてくる。
【００４１】
また外部通信部２１ｂは、オンライン状態を検知しているときに玉貸操作（玉貸ボタン１５の操作）を受け付けたことに基づいて、記録媒体ＩＤと使用額＋消費税額とを含む玉貸通知を管理装置５０に対して送信する。具体的には、記録媒体（会員カード４，ビジタコイン５）を受け付けていない状態で玉貸操作を受け付けたときには、収納コイン保持部２７Ｐで保持しているビジタコイン５のコインＩＤと使用額＋消費税額とを含む玉貸通知を送信し、会員カード４の挿入を受け付けている状態で玉貸操作を受け付けたときには、カード保持部２４Ｐで保持している該会員カード４のカードＩＤと使用額＋消費税額とを含む玉貸通知を送信し、ビジタコイン５の投入を受け付けている状態で玉貸操作を受け付けたときには、投入コイン保持部２６Ｐで保持している該ビジタコイン５のコインＩＤと使用額＋消費税額とを含む玉貸通知を送信する。即ち玉貸通知には、収納コイン保持部２７Ｐで保持しているビジタコイン５のコインＩＤ，カード保持部２４Ｐで保持している会員カード４のカードＩＤ，又は投入コイン保持部２６Ｐで保持しているビジタコイン５のコインＩＤのいずれかが、記録媒体ＩＤとして含まれる。この玉貸通知を受信した管理装置５０では、後述する制御部５２により、該玉貸通知に含まれる記録媒体ＩＤに対応付けて管理している残額から該玉貸通知に含まれる使用額＋消費税額を減算する減算処理が行われ、該管理装置５０から、減算処理が完了した旨を示す減算完了通知が返信されてくる。
【００４２】
また外部通信部２１ｂは、オンライン状態を検知しているときに返却操作（返却ボタン１６の操作）を受け付けたことに基づいて、記録媒体ＩＤを含む返却通知を管理装置５０に対して送信する。具体的には、記録媒体（会員カード４，ビジタコイン５）を受け付けていない状態で返却操作を受け付けたときには、収納コイン保持部２７Ｐで保持しているビジタコイン５のコインＩＤを含む返却通知を送信し、会員カード４の挿入を受け付けている状態で返却操作を受け付けたときには、カード保持部２４Ｐで保持している該会員カード４のカードＩＤを含む返却通知を送信し、ビジタコイン５の投入を受け付けている状態で返却操作を受け付けたときには、投入コイン保持部２６Ｐで保持している該ビジタコイン５のコインＩＤを含む返却通知を送信する。即ち返却通知には、収納コイン保持部２７Ｐで保持しているビジタコイン５のコインＩＤ，カード保持部２４Ｐで保持している会員カード４のカードＩＤ，又は投入コイン保持部２６Ｐで保持しているビジタコイン５のコインＩＤのいずれかが、記録媒体ＩＤとして含まれる。この返却通知を受信した管理装置５０からは、返却許諾通知が返信されてくる。
【００４３】
また外部通信部２１ｂは、オンライン状態を検知しているときに後述する第１の排出処理により排出された記録媒体（即ち端数額が記録されていない会員カード４又はビジタコイン５）を受け付けたことに基づいて、該受け付けた記録媒体に記録されている記録媒体ＩＤを含む残額取得要求を管理装置５０に対して送信する。この残額取得要求を受信した管理装置５０からは、該記録媒体ＩＤに対応付けて管理している残額を含む残額通知が返信されてくる。
【００４４】
さらに外部通信部２１ｂは端数額加算更新要求送信手段の一例であって、オンライン状態を検知しているときに後述する第２の排出処理により排出された記録媒体（即ち端数額が記録されている会員カード４又はビジタコイン５）を受け付けたことに基づいて、該受け付けた記録媒体に記録されている記録媒体ＩＤと端数額とを含む端数額加算更新要求を管理装置５０に対して送信する。この端数額加算更新要求を受信した管理装置５０では、後述する端数額加算更新処理手段（制御部５２）により、該端数額加算更新要求に含まれる記録媒体ＩＤに対応付けて管理している残額に対して該端数額加算更新要求に含まれる端数額を加算更新する端数額加算更新処理が行われ、該管理装置５０から、端数額加算更新処理が完了した旨を示す端数額加算更新完了通知として、ここでは加算更新後の残額を含む残額通知が返信されてくる。
【００４５】
なお外部通信部２１ｂから送信される情報（要求や通知）には前記ユニットＩＤが含まれるので、管理装置５０では、該情報と共に受信したユニットＩＤに基づいて、該情報の送信元である玉貸ユニット２０を特定可能である。
【００４６】
紙幣識別機２２は貨幣受付手段の一例であって、貨幣を受け付けるものであり、ここでは図２（ｂ）に示すように、紙幣挿入口２２ａから前記４種類の紙幣２の挿入を受け付けて、該受け付けた紙幣２の真贋及び金種を識別する識別機である。なお紙幣識別機２２により受け付けられた紙幣２は、紙幣通路２２ｂを通じて玉貸ユニット２０の背面から外部に排出され、遊技島に設けられた紙幣搬送機構（図示外）により搬送されて、金庫（図示外）に回収される。
【００４７】
硬貨識別機２３も貨幣受付手段の一例であって、貨幣を受け付けるものであり、ここでは図２（ｂ）に示すように、硬貨投入口２３ａから前記２種類の硬貨３の投入を受け付けて、硬貨通路２３ｂを通じて落下してきた硬貨３の真贋及び金種を識別する識別機である。なお硬貨識別機２３により受け付けられた硬貨３も、硬貨通路２３ｃを通じて玉貸ユニット２０の背面から外部に排出され、遊技島に設けられた硬貨搬送機構（図示外）により搬送されて、金庫（図示外）に回収される。硬貨返却ボタン２３ｅは、硬貨識別機２３や硬貨通路２３ｂにおいて詰まった硬貨３の返却操作を受け付けるためのボタンであり、遊技者により硬貨返却ボタン２３ｅが押下されると、該詰まった硬貨３が硬貨通路２３ｄを通じて硬貨返却口２３ｆに戻る。
【００４８】
これら貨幣受付手段においては、管理装置５０とオンライン状態では、すべての種類の貨幣を受付可能であるが、管理装置５０とオフライン状態では、１０００円以下の貨幣のみを受付可能である。
【００４９】
記録媒体Ｒ／Ｗ２４は、記録媒体（会員カード４，ビジタコイン５）の記録情報を読み取ると共に記録媒体に対して情報を書き込むものである。この記録媒体Ｒ／Ｗ２４は、前記ＩＣカードである会員カード４及び前記ＩＣコインであるビジタコイン５に対応したリーダ／ライタであり、投入コイン保持部２６Ｐに対応する上部アンテナ２６と、収納コイン保持部２７Ｐ及びカード保持部２４Ｐに対応する下部アンテナ２７とを備えている。これにより、コイン投入口２５から投入されて投入コイン保持部２６Ｐで保持しているビジタコイン５に対しては、上部アンテナ２６を介して情報の読み取り及び書き込みを行う。また、コイン収納部２７ａから排出されて収納コイン保持部２７Ｐで保持しているビジタコイン５に対しては、下部アンテナ２７を介して情報の読み取り及び書き込みを行う。さらに、カード挿入口２４ａから挿入されてカード保持部２４Ｐで保持している会員カード４に対しても、下部アンテナ２７を介して情報の読み取り及び書き込みを行う。
【００５０】
次に図２〜図４を参照して、ビジタコイン５の取扱構造について説明する。このビジタコイン５の取扱構造には、コイン投入口２５，投入コイン保持部２６Ｐ，コイン収納部２７ａ，収納コイン保持部２７Ｐ，コイン返却口２８，投入コイン返却通路２６ｄ，収納コイン返却通路２７ｄ，上部アンテナ２６，及び下部アンテナ２７が含まれる。
【００５１】
コイン投入口２５は記録媒体投入口の一例であって、ビジタコイン５の投入を外部から受け付ける部位であり、ここでは図２（ａ）（ｂ）に示すように、玉貸ユニット２０の前面に形成された縦長の孔である。
【００５２】
投入コイン保持部２６Ｐは第１の保持部の一例であって、コイン投入口２５から投入されたビジタコイン５（以下「投入コイン」ともいう。）を保持する部位であり、ここでは図３に示すように、コイン投入口２５から後方に向けて傾斜して配置された投入コイン誘導通路２６ａにおいて、該投入コイン誘導通路２６ａの終端部分が第１の投入コインストッパ２６ｂ及び第２の投入コインストッパ２６ｃにより区画された部位である。この投入コイン保持部２６Ｐでは、コイン投入口２５から投入されて投入コイン誘導通路２６ａを自重により転動してきたビジタコイン５が、閉鎖状態にある第１の投入コインストッパ２６ｂ及び第２の投入コインストッパ２６ｃに堰き止められて保持される。
【００５３】
ここで第１の投入コインストッパ２６ｂは、投入コイン保持部２６Ｐと該投入コイン保持部２６Ｐの後方に連通するコイン収納部２７ａとの間に形成されるストッパであり、制御部２１の制御によって（図１を参照）スライド又は回転することにより、投入コイン保持部２６Ｐとコイン収納部２７ａとの間を閉鎖状態にしたり開放状態にしたりするものである。この第１の投入コインストッパ２６ａは、通常は閉鎖状態であるが、前記投入コイン保持部２６Ｐで保持しているビジタコイン５の記録媒体ＩＤに対応付けて管理装置５０で管理されている残額（即ち制御部２１のＲＡＭで記憶している残額）が零になると開放状態になり、投入コイン保持部２６Ｐで保持していたビジタコイン５が自重により転動して、コイン収納部２７ａに収納される。
【００５４】
また第２の投入コインストッパ２６ｃは、投入コイン保持部２６Ｐと該投入コイン保持部２６Ｐの下方に連通する投入コイン返却通路２６ｄとの間に形成されるストッパであり、制御部２１の制御によって（図１を参照）スライド又は回転することにより、投入コイン保持部２６Ｐと投入コイン返却通路２６ｄとの間を閉鎖状態にしたり開放状態にしたりするものである。この第２の投入コインストッパ２６ｃは、通常は閉鎖状態であるが、投入コイン保持部２６Ｐでビジタコイン５を保持しているときに遊技者から排出操作（返却ボタン１６の操作）を受け付けると開放状態になり、該投入コイン保持部２６Ｐで保持していたビジタコイン５が投入コイン返却通路２６ｄを自重により落下及び転動して、コイン返却口２８に返却される。
【００５５】
コイン収納部２７ａは記録媒体収納部の一例であって、投入コイン保持部２６Ｐに連通し、ビジタコイン５を一列に並べて収納する部位であり、ここでは図３に示すように、投入コイン保持部２６Ｐから後方に向けて傾斜し、途中で下方に向けて鉛直に屈曲し、さらに途中で後方に向けて半円弧状に屈曲して配置された通路において、該通路の終端部分に設けられた第１の収納コインストッパ２７ｂにより区画された部位である。このコイン収納部２７ａでは、遊技場の営業開始前に予めコイン投入口２５から投入されたビジタコイン５，及び遊技場の営業中に第１の投入コインストッパ２６ｂが開放状態となって投入コイン保持部２６Ｐにおける保持が解除されたビジタコイン５が、閉鎖状態にある第１の収納コインストッパに堰き止められて、一列に並べて収納される。ここで「一列に並べて」とは、ビジタコイン５の面同士ではなく円周同士が接するように並べての意味である。ここでのコイン収納部２７ａは、７枚のビジタコイン５を収納可能である。
【００５６】
ここで第１の収納コインストッパ２７ｂは、コイン収納部２７ａと該コイン収納部２７ａの前方に連通する収納コイン保持部２７Ｐとの間に形成されるストッパであり、制御部２１の制御によって（図１を参照）スライド又は回転することにより、コイン収納部２７ａと収納コイン保持部２７Ｐとの間を閉鎖状態にしたり開放状態にしたりするものである。この第１の収納コインストッパ２７ｂは、通常は閉鎖状態であるが、次に述べる収納コイン保持部２７Ｐで保持しているビジタコイン５が外部に返却されると開放状態になり、コイン収納部２７ａに収納されているビジタコイン５が自重により転動して、収納コイン保持部２７Ｐに排出される。従って該収納コイン保持部２７Ｐには、常にビジタコイン５が保持された状態となる。
【００５７】
収納コイン保持部２７Ｐは第２の保持部の一例であって、コイン収納部２７ａから排出されたビジタコイン５（以下「収納コイン」ともいう。）を保持する部位であり、ここでは図３に示すように、コイン収納部２７ａの終端側から前方に向けて傾斜して配置された収納コイン返却通路２７ｄにおいて、該収納コイン返却通路２７ｄの始端部分が第２の収納コインストッパ２７ｃにより区画された部位である。この収納コイン保持部２７Ｐでは、第１の収納コインストッパ２７ｂが開放状態となってコイン収納部２７ａから排出されたビジタコイン５が、閉鎖状態にある第２の収納コインストッパ２７ｃに堰き止められて保持される。
【００５８】
ここで第２の収納コインストッパ２７ｃは、収納コイン保持部２７Ｐと該収納コイン保持部２７Ｐの前方に連通する収納コイン返却通路２７ｄとの間に形成されるストッパであり、制御部２１の制御によって（図１を参照）スライド又は回転することにより、収納コイン保持部２７Ｐと収納コイン返却通路２７ｄとの間を閉鎖状態にしたり開放状態にしたりするものである。この第２の収納コインストッパ２７ｃは、常時は閉鎖状態であるが、投入コイン保持部２６Ｐでビジタコイン５を保持していないときに遊技者から排出操作（返却ボタン１６の操作）を受け付けると開放状態になり、収納コイン保持部２７Ｐで保持していたビジタコイン５が収納コイン返却通路２７ｄを自重により転動して、コイン返却口２８に返却される。
【００５９】
コイン返却口２８は記録媒体返却口の一例であって、投入コイン保持部２６Ｐで保持しているビジタコイン５及び収納コイン保持部２７Ｐで保持しているビジタコイン５を外部に返却する部位であり、ここでは図２（ａ）（ｂ）に示すように、玉貸ユニット２０の前面に突出して形成され、投入コイン返却通路２６ｄの終端側に形成された投入コイン返却通路出口２６ｅ及び収納コイン返却通路２７ｄの終端側に形成された収納コイン返却通路出口２７ｅから返却されたビジタコイン５を受け止める容器状の部位である。
【００６０】
投入コイン返却通路２６ｄは第１の返却通路の一例であって、始端側で投入コイン保持部２６Ｐに連通すると共に終端側でコイン返却口２８に連通し、投入コイン保持部２６Ｐで保持しているビジタコイン５をコイン返却口２８に導くための通路であり、ここでは図３及び図４に示すように、投入コイン保持部２６Ｐから下方に向けて延出し、途中で前方に向けて屈曲して傾斜して配置された通路である。
【００６１】
収納コイン返却通路２７ｄは第２の返却通路の一例であって、始端側で収納コイン保持部２７Ｐに連通すると共に終端側でコイン返却口２８に連通し、収納コイン保持部２７Ｐで保持しているビジタコイン５をコイン返却口２８に導くための通路であり、ここでは図３及び図４に示すように、収納コイン保持部２７Ｐから前方に向けて傾斜して配置された通路である。
【００６２】
上部アンテナ２６は第１の読取手段の一例であって、投入コイン保持部２６Ｐに対応して設けられ、該投入コイン保持部２６Ｐで保持しているビジタコイン５の記録媒体ＩＤを読み取るものであり、前述の如く記録媒体Ｒ／Ｗ２４が、該上部アンテナ２６を介して、ビジタコイン５に対する情報の読み取り及び書き込みを行う。この上部アンテナ２６は、図３に示す投入コイン保持部２６Ｐの左側面に隣接して、図２（ｂ）に示すように配置されている。
【００６３】
下部アンテナ２７は第２の読取手段の一例であって、収納コイン保持部２７Ｐに対応して設けられ、該収納コイン保持部２７Ｐで保持しているビジタコイン５の記録媒体ＩＤを読み取るものであり、前述の如く記録媒体Ｒ／Ｗ２４が、該下部アンテナ２７を介して、ビジタコイン５に対する情報の読み取り及び書き込みを行う。また下部アンテナ２７は、カード保持部２４Ｐに対応して設けられ、該カード保持部２４Ｐで保持している会員カード４の記録媒体ＩＤを読み取るものでもあり、前述の如く記録媒体Ｒ／Ｗ２４が、該下部アンテナ２７を介して、会員カード４に対する情報の読み取り及び書き込みを行う。この下部アンテナ２７は、図３に示す収納コイン保持部２７Ｐの右側面に隣接して、カード保持部２４Ｐとの間に挟まれた形で配置されており、収納コイン保持部２７Ｐで保持しているビジタコイン５及びカード保持部２４Ｐで保持している会員カード４の両方と通信できるようになっている。
【００６４】
以上に説明したビジタコイン５の取扱構造は、図３及び図４に示すように、投入コイン返却通路２６ｄと収納コイン返却通路２７ｄとがそれぞれ別個に形成され、該投入コイン返却通路２６ｄと収納コイン返却通路２７ｄとがそれぞれ別個にコイン返却口２８に連通していることを特徴とするものである。
【００６５】
ここで該ビジタコイン５の取扱構造に類似するものとして、特開２００１−２９３２４２号公報（図４，図５，段落００４４，００５１）に示す玉貸し機が知られている。この玉貸し機（本願の玉貸ユニット２０に相当）では、第１検知部（本願の上部アンテナ２６に相当）で保持しているコイン（本願のビジタコイン５に相当）をコイン返却口に導くためのバイパス通路（本願の投入コイン返却通路２６ｄに相当）が、第２検知部（本願の下部アンテナ２７に相当）で保持しているコインをコイン返却口に導くための返却通路（本願の収納コイン返却通路２７ｄに相当）と合流してから、コイン返却口に連通するように構成されている。
【００６６】
しかしながら、この従来の玉貸し機のように、コインをコイン返却口に導くための２つの通路が合流してからコイン返却口に連通するように構成すると、本願の下部アンテナ２７に相当する第２検知部を、該合流地点よりも後方に設けなければならないので、玉貸し機の内部における限られた奥行きの範囲内では、コイン収納部の収納スペースが少なくなるという問題点があった。
【００６７】
そこで本願のビジタコイン５の取扱構造の如く、投入コイン返却通路２６ｄと収納コイン返却通路２７ｄとがそれぞれ別個に形成され、該投入コイン返却通路２６ｄと収納コイン返却通路２７ｄとがそれぞれ別個にコイン返却口２８に連通するように構成すれば、投入コイン返却通路２６ｄと収納コイン返却通路２７ｄが途中で合流してコイン返却口２８に連通する場合と比べて、下部アンテナ２７を玉貸ユニット２０の内部における前方に設けることができるので、玉貸ユニット２０の内部における限られた奥行きの範囲内で、コイン収納部２７ａの収納スペースを拡張してビジタコイン５の収納枚数を向上できる。
【００６８】
図２に戻り、多機能ランプ２９は、予め定められた複数の色のうちのいずれかの色で点灯又は点滅することによって玉貸ユニット２０の状態を報知するランプである。この多機能ランプ２９は、例えば会員カード４及びビジタコイン５を受け付けていないときには青色で点灯してその旨を報知し、会員カード４を受け付けているときには緑色で点灯してその旨を報知し、ビジタコイン５を受け付けているときには黄色で点灯してその旨を報知し、異常が発生しているときには赤色で点滅してその旨を報知する。残額表示器３０は、玉貸ユニット２０の制御部２１のＲＡＭに記憶されている残額又は端数額を表示するための表示器であって、ここでは５桁の７セグメント表示器であり、残額や端数額が１円単位まで表示される。
【００６９】
ここで制御部２１は通信可否検知手段の一例であって、管理装置５０と通信できる通信可能状態（オンライン状態）であるか通信できない通信不可能状態（オフライン状態）であるかを検知するものである。具体的には、管理装置５０の後述する通信部５１から各玉貸ユニット２０に対して定期的（例えば１０秒ごと）に送信されてくる通信確認要求に基づいて、該通信確認要求の受信を定期的に検知している間はオンライン状態（即ち管理装置５０と通信できる通信可能状態）であると判定し、該通信確認要求の受信を一定期間（例えば１分間）検知しなくなるとオフライン状態（即ち管理装置５０と通信できない通信不可能状態）であると判定する。
【００７０】
また制御部２１は貸与処理手段の一例であって、前記貨幣受付手段により受け付けた貨幣の金額である受付貨幣額の範囲内でパチンコ玉を貸与するための第１の貸与処理（受付貨幣額貸与処理）である使用額分の玉貸処理を行うものである。この実施形態では、管理装置５０とオンライン状態で貨幣を受け付けると、会員カード４又はビジタコイン５を受け付けていない場合には、収納コイン保持部２７Ｐで保持しているビジタコイン５の記録媒体ＩＤと受付貨幣額とを含む前記入金要求（図６のＳ１１２を参照），会員カード４又はビジタコイン５を受け付けている場合には、該受け付けている会員カード４又はビジタコイン５の記録媒体ＩＤと受付貨幣額とを含む前記入金要求（図７のＳ２２２を参照）が管理装置５０に対して送信され、該入金要求を受信した管理装置５０では、後述する制御部５２により、該入金要求に含まれる受付貨幣額を該入金要求に含まれる記録媒体ＩＤに対応付けて管理している管理残額に対して加算更新する入金処理が行われ、該管理装置５０から、入金処理が完了した旨を示す入金完了通知として、前記管理されている残額を含む残額通知が返信されてくることにより、該管理されている残額が制御部２１のＲＡＭに記憶されて玉貸操作を受付可能となり、該玉貸操作が受け付けられた場合に、後述する使用額分の玉貸処理が行われる。
【００７１】
また貸与処理手段として機能する制御部２１は、記録媒体Ｒ／Ｗ２４から読み取った記録媒体ＩＤから特定される残額（即ち該記録媒体ＩＤに対応付けて管理装置５０で管理されている残額）の範囲内でパチンコ玉を貸与するための残額貸与処理である使用額分の玉貸処理を行うものである。この実施形態では、管理装置５０とオンライン状態で端数額が記録されていない会員カード４又はビジタコイン５を受け付けると、該受け付けてた会員カード４又はビジタコイン５の記録媒体ＩＤを含む残額取得要求（図７のＳ２０２を参照）が管理装置５０に対して送信され、該残額取得要求を受信した管理装置５０から、前記管理されている残額を含む残額通知が返信されてくることにより、該管理されている残額が制御部２１のＲＡＭに記憶されて玉貸操作を受付可能となり、該玉貸操作が受け付けられた場合に、後述する使用額分の玉貸処理が行われる。
【００７２】
この使用額分の玉貸処理としては、制御部２１のＲＡＭに記憶されている残額と予め設定された玉貸設定金額（例えば５度数分の税込単位額である５２５円）とを比較して、残額≧玉貸設定金額であれば該玉貸設定金額を使用額＋消費税額として、該使用額＋消費税額に相当するパチンコ玉の払出を払出制御基板１２に対して指示する処理を行い、残額（例えば３００円）＜玉貸設定金額であれば、税込単位額の整数倍の残額（ここでは２１０円）を使用額＋消費税額として、該使用額＋消費税額に相当するパチンコ玉の払出を払出制御基板１２に対して指示する処理を行う。なお残額＜税込単位額である１０５円（即ち端数額）であれば、払出制御基板１２に対してパチンコ玉の払出を指示する処理は行わない。該指示を受けたパチンコ機１０側では、単位使用額である１００円（換言すれば税込単位額である１０５円）毎に２５個のパチンコ玉が払い出される。
【００７３】
そして該使用額分の玉貸処理が行われると、制御部２１のＲＡＭに記憶されている残額から使用額＋消費税額が減算更新され、該減算更新に応じて残度数表示器１４における残度数の表示及び残額表示器３０における残額の表示が更新されると共に、会員カード４又はビジタコイン５を受け付けていない場合には、収納コイン保持部２７Ｐで保持しているビジタコイン５の記録媒体ＩＤと使用額＋消費税額とを含む玉貸通知（図６のＳ１２３を参照），会員カード４又はビジタコイン５を受け付けている場合には、該受け付けている会員カード４又はビジタコイン５の記録媒体ＩＤと使用額＋消費税額とを含む玉貸通知（図７のＳ２１３を参照）が管理装置５０に対して送信され、該玉貸通知を受信した管理装置５０では、後述する制御部５２により、該玉貸通知に含まれる記録媒体ＩＤに対応付けて管理している残額から該玉貸通知に含まれる使用額＋消費税額を減算する減算処理が行われ、該管理装置５０から、減算処理が完了した旨を示す減算完了通知が返信されてくることにより、再び玉貸操作を受付可能となる。
【００７４】
また制御部２１は残額処理手段の一例であって、前記受付貨幣額から第１の貸与処理（受付貨幣額貸与処理）に使用された使用額及び該使用額に対応する間接税額を減算した金額を前記残額として、会員カード４又はビジタコイン５の記録媒体ＩＤと対応付けて管理装置５０で管理するための処理（記録媒体Ｒ／Ｗ２４から読み取った記録媒体ＩＤから特定可能にするための残額特定処理）を行うものである。この実施形態では、管理装置５０とオンライン状態で貨幣を受け付けたときに、記録媒体ＩＤと受付貨幣額とを含む前記入金要求を管理装置５０に対して送信する処理と、前記使用額分の玉貸処理が行われたときに、記録媒体ＩＤと使用額＋消費税額とを含む前記玉貸通知を管理装置５０に対して送信する処理が、残額を記録媒体ＩＤと対応付けて管理装置５０で管理するための処理（残額特定処理）に相当する。
【００７５】
これにより、前記入金要求を受信した管理装置５０では、前述の如く、該入金要求に含まれる受付貨幣額を該入金要求に含まれる記録媒体ＩＤに対応付けて管理している管理残額に対して加算更新する入金処理が行われ、また前記玉貸通知を受信した管理装置５０では、該玉貸通知に含まれる記録媒体ＩＤに対応付けて管理している残額から該玉貸通知に含まれる使用額＋消費税額を減算する減算処理が行われることにより、前記受付貨幣額から第１の貸与処理（受付貨幣額貸与処理）に使用された使用額及び該使用額に対応する間接税額を減算した金額が前記残額として、会員カード４又はビジタコイン５の記録媒体ＩＤと対応付けて管理される。
【００７６】
また制御部２１は記録媒体排出処理手段の一例であって、前記残額処理手段による処理の対象となった会員カード４又はビジタコイン５に前記残額を記録することなく排出する第１の排出処理を行うものであり、ここでは遊技者から排出操作（返却ボタン１６の操作）を受け付けたことに基づいて、該第１の排出処理を行う。具体的には、管理装置５０とオンライン状態において、会員カード４又はビジタコイン５を受け付けていない状態で、貨幣を受け付けて、玉貸操作の受付に基づいて使用額分の玉貸処理が行われた後に、遊技者から排出操作を受け付けた場合には、収納コイン保持部２７Ｐで保持しているビジタコイン５に残額を記録することなく排出し（図６のＳ１３７を参照）、会員カード４又はビジタコイン５を受け付けている状態で、貨幣を受け付けて、玉貸操作の受付に基づいて使用額分の玉貸処理が行われた後に、遊技者から排出操作を受け付けると、前記受け付けている会員カード４又はビジタコイン５に残額を記録することなく排出する（図７のＳ２３７を参照）。
【００７７】
また制御部２１は端数額消去処理手段の一例であって、前記端数額加算更新要求送信手段により端数額加算更新要求を送信したことに基づいて管理装置５０から返信されてくる前記端数額加算完了通知（ここでは加算更新後の残額を含む残額通知）を受信したことを条件として、前記受け付けた記録媒体（即ち端数額が記録されている会員カード４又はビジタコイン５）に記録されている端数額を消去する端数額消去処理を行うものである。具体的には、端数額の消去を記録媒体Ｒ／Ｗ２４に対して指示する処理を行う。
【００７８】
また制御部２１は特定手段の一例であって、前記通信可否検知手段によりオフライン状態を検知しているときに前記貨幣受付手段により貨幣を受け付けたことに基づいて、前記受付貨幣額から、前記残額をパチンコ玉の貸与に使用する際の予め定められた一単位である単位使用額（例えば１００円）と該単位使用額に対応する消費税額（税率が５％の場合には５円）との合算額である税込単位額（即ち１０５円）の整数倍に相当する貸与対象額と、該税込単位額未満の端数額とを特定するものである。具体的には、管理装置５０とオフライン状態で１０００円を受け付けた場合には、受付貨幣額である１０００円から、税込単位額である１０５円の９倍に相当する９４５円を貸与対象額として特定すると共に、５５円を端数額として特定する（図９のＳ４１４，図１０のＳ５１４を参照）。ここで特定された端数額は、制御部２１のＲＡＭで記憶される。
【００７９】
この特定手段により貸与対象額と端数額が特定されると、遊技者の操作（玉貸ボタン１５の操作）によることなく、該特定された貸与対象額分のパチンコ玉を貸与するための第２の貸与処理（一発貸し）である貸与対象額分の玉貸処理が、前記貸与処理手段により行われる。具体的には、該特定された貸与対象額に相当するパチンコ玉の払出を払出制御基板１２に対して指示する処理を行う。
【００８０】
また特定手段により貸与対象額と端数額が特定されると、該特定された端数額を記録した会員カード４又はビジタコイン５を排出する第２の排出処理が、前記記録媒体排出処理手段により行われ、ここでは遊技者から排出操作（返却ボタン１６の操作）を受け付けたことに基づいて、制御部２１のＲＡＭで記憶している端数額を会員カード４又はビジタコイン５に記録して、該第２の排出処理を行う。具体的には、会員カード４又はビジタコイン５を受け付けていない状態で、貨幣を受け付けて、貸与対象額分の玉貸処理が行われた後に、遊技者から排出操作を受け付けた場合には、収納コイン保持部２７Ｐで保持しているビジタコイン５に端数額を記録して排出し（図９のＳ４３３，Ｓ４３５を参照）、会員カード４又はビジタコイン５を受け付けている状態で、貨幣を受け付けて、貸与対象額分の玉貸処理が行われた後に、遊技者から排出操作を受け付けると、前記受け付けている会員カード４又はビジタコイン５に端数額を記録して排出する（図１０のＳ５３３，Ｓ５３５を参照）。
【００８１】
また特定手段として機能する制御部２１は、前記第２の貸与処理（一発貸し）である貸与対象額分の玉貸処理を行った後に前記貨幣受付手段により貨幣を受け付けたことに基づいて、前回の貨幣の受付に基づいて特定した端数額と前記受付貨幣額との合算額から、前記貸与対象額を特定すると共に、前記端数額を新たに特定する。具体的には、前述の如く、管理装置５０とオフライン状態で１０００円を受け付け、９４５円が貸与対象額として特定されて該貸与対象額分の玉貸処理が行われると共に、５５円が端数額として特定された（制御部２１のＲＡＭで記憶された）後に、さらに１０００円を受け付けた場合に、前記特定された端数額である５５円と受付貨幣額である１０００円との合算額である１０５５円から、税込単位額である１０５円の１０倍に相当する１０５０円を貸与対象額として特定すると共に、５円を端数額として新たに特定する（図９のＳ４２４，図１０のＳ５２４を参照）。ここで新たに特定された端数額は、制御部２１のＲＡＭで記憶される（換言すれば、制御部２１のＲＡＭで記憶されていた端数額が、新たに特定された端数額に更新される）。
【００８２】
さらに特定手段として機能する制御部２１は、前記通信可否検知手段によりオフライン状態を検知しているときに、前記第２の排出処理により排出された会員カード４又はビジタコイン５を受け付け、さらに前記貨幣受付手段により貨幣を受け付けたことに基づいて、該受け付けた会員カード４又はビジタコイン５に記録されている端数額と前記受付貨幣額との合算額から、前記貸与対象額を特定すると共に、前記端数額を新たに特定する。具体的には、管理装置５０とオフライン状態で、端数額として５５円が記録されている会員カード４又はビジタコイン５を受け付け、さらに１０００円を受け付けた場合に、該受け付けた会員カード４又はビジタコイン５に記録されている端数額である５５円と受付貨幣額である１０００円との合算額である１０５５円から、税込単位額である１０５円の１０倍に相当する１０５０円を貸与対象額として特定すると共に、５円を端数額として新たに特定する（図１１のＳ６２４を参照）。ここで新たに特定された端数額は、制御部２１のＲＡＭで記憶される（換言すれば、制御部２１のＲＡＭで記憶されていた端数額が、新たに特定された端数額に更新される）。
【００８３】
また制御部２１は合算額判定手段の一例であって、前記貨幣受付手段により貨幣を受け付けたことに基づいて、前回の貨幣の受付に基づいて特定した端数額又は前記受け付けた会員カード４又はビジタコイン５に記録されている端数額と前記受付貨幣額との合算額が前記税込単位額以上であるか否かを判定するものである。
【００８４】
即ち合算額判定手段は、前記通信可否検知手段によりオフライン状態を検知しているときに、前記貨幣受付手段により貨幣を受け付けたことに基づいて、前回の貨幣の受付に基づいて特定した端数額と前記受付貨幣額との合算額が前記税込単位額以上であるか否かを判定する。具体的には、オフライン状態を検知しており、前記特定手段により特定された端数額が制御部２１のＲＡＭに記憶されている状態で、貨幣を受け付けた場合に、受付貨幣額＋端数額が税込単位額以上であるか否かを判定する（図９のＳ４２３，図１０のＳ５２３，図１１のＳ６２３）。
【００８５】
また前記通信可否検知手段によりオフライン状態を検知しているときに、前記第２の排出処理により排出された会員カード４又はビジタコイン５を受け付け、さらに前記貨幣受付手段により貨幣を受け付けたことに基づいて、該受け付けた会員カード４又はビジタコイン５に記録されている端数額と前記受付貨幣額との合算額が前記税込単位額以上であるか否かを判定する。具体的には、オフライン状態を検知しており、会員カード４又はビジタコイン５を受け付けて、該受け付けた会員カード４又はビジタコイン５に記録されている端数額が制御部２１のＲＡＭに記憶されている状態で、貨幣を受け付けた場合に、受付貨幣額＋端数額が税込単位額以上であるか否かを判定する（図１１のＳ６１３）。
【００８６】
ここで該合算額判定手段により税込単位額以上であると判定されたことを条件として、前記受け付けた貨幣が回収され、前記特定手段による特定が行われる一方、前記合算額判定手段により税込単位額未満であると判定されたことを条件として、前記受け付けた貨幣が返却され、前記特定手段による特定が行われない。例えば端数額が４円の状態で１００円を受け付けた場合には、該受け付けた１００円が返却され、端数額が５円の状態で１００円を受け付けた場合には、該受け付けた１００円が回収されて、貸与対象額１０５円（端数額０円）が特定される。
【００８７】
管理装置５０は、会員カード４又はビジタコイン５を個々に識別可能な記録媒体ＩＤに対応付けてパチンコ玉の貸与に使用される残額を管理するものである。この管理装置５０は、遊技場内の所定箇所（例えば管理事務所等）に設けられるものであり、図１に示すように接続される通信部５１，制御部５２，ディスプレイ５３，入力装置５４，及びハードディスク５５等を備えている。
【００８８】
記憶手段であるハードディスク５５には、図１の表に示す残額管理ＤＢが設けられている。この残額管理ＤＢでは、会員カード４の記録媒体ＩＤ（即ちＭで始まるカードＩＤ）又はビジタコイン５の記録媒体ＩＤ（即ちＶで始まるコインＩＤ）に対応付けて残額が記憶されており、制御部５２の制御により該残額が更新されて管理される。またハードディスク５５では、次に述べる精算可能期間設定手段により設定された精算可能期間内においていずれかの玉貸ユニット２０とオフライン状態が発生した場合に、その旨が記憶される。
【００８９】
ディスプレイ５３は、各種の情報を表示するための表示デバイスであり、入力装置５４は、各種の入力を受け付けるための入力デバイスである。これらディスプレイ５３及び入力装置５４は精算可能期間設定手段の一例であって、精算装置６０での精算が可能な精算可能期間を設定するものである。具体的には、管理装置５０において精算可能期間設定モードが実行されると、精算可能期間設定画面（図示外）がディスプレイ５３に表示される。この精算可能期間設定画面では、入力装置５４の操作により、当日中，今週中，又は今月中のいずれかを、精算可能期間として設定可能である。以下においては、精算可能期間として当日中が設定された場合について説明する。
【００９０】
制御部５２は、ＣＰＵ，ＲＡＭ，ＲＯＭ等を備えており、ハードディスク５５に記憶されている処理プログラムがＲＡＭを作業領域としてＣＰＵで実行されることにより、管理装置５０に備えられる各構成要素の動作を制御して各種の処理を行うものである。
【００９１】
この制御部５２は、玉貸ユニット２０から送信されてきた入金要求に含まれる受付貨幣額を該入金要求に含まれる記録媒体ＩＤに対応付けて管理している管理残額に対して加算更新する入金処理を行うものである（図６のＳ１１３，図７のＳ２２３を参照）。
【００９２】
また制御部５２は、玉貸ユニット２０から送信されてきた玉貸通知に含まれる記録媒体ＩＤに対応付けて管理している残額から該玉貸通知に含まれる使用額＋消費税額を減算する減算処理を行うものである（図６のＳ１２４，図７のＳ２１４を参照）。
【００９３】
また制御部５２は端数額加算更新処理手段の一例であって、前記端数額加算更新要求送信手段から送信されてきた端数額加算更新要求に含まれる記録媒体ＩＤに対応付けて管理している残額に対して該端数額加算更新要求に含まれる端数額を加算更新する端数額加算更新処理を行うものである（図８のＳ３０３を参照）。
【００９４】
さらに制御部５２は通信不可能状態発生判定手段の一例であって、前記精算可能期間内にオフライン状態が発生したか否かを判定するものである（図１２（ｂ）のＳ８０５を参照）。具体的には、通信部５１から各玉貸ユニット２０に対して定期的（例えば１０秒毎）に通信確認要求を送信し、該通信確認要求に応じて玉貸ユニット２０から通信部５１に対して返信されてくる通信確認通知に基づいて、該通信確認通知の返信を定期的に検知している間はオンライン状態（即ち玉貸ユニット２０と通信できる通信可能状態）であると判定し、該通信確認通知の返信を一定期間（例えば１分間）検知しなくなるとオフライン状態（即ち玉貸ユニット２０と通信できない通信不可能状態）であると判定して、該オフライン状態が発生した旨をハードディスク５５で記憶する。そしてハードディスク５５でオフライン状態が発生した旨が記憶されている場合に、精算可能期間内にオフライン状態が発生したと判定する。
【００９５】
通信部５１は、前述の如く玉貸ユニット２０の外部通信部２１ｂと通信可能に接続されており、管理装置５０と玉貸ユニット２０との間における通信を司るものであると共に、精算装置６０の後述する通信部６１と通信可能に接続されており、管理装置５０と精算装置６０との間における通信を司るものである。
【００９６】
この通信部５１は、制御部５２による前記入金処理が完了したことに基づいて、該入金処理が完了した旨を示す入金完了通知として、前記管理している残額を含む残額通知を玉貸ユニット２０に対して返信するものである（図６のＳ１１４，図７のＳ２２４を参照）。
また通信部５１は、制御部５２による前記減算処理が完了したことに基づいて、該減算処理が完了した旨を示す減算完了通知を玉貸ユニット２０に対して返信するものである（図６のＳ１２５，図７のＳ２１５を参照）。
【００９７】
また通信部５１は、玉貸ユニット２０から返却通知を受信したことに基づいて、返却許諾通知を該玉貸ユニット２０に対して返信するものである（図６のＳ１３４，図７のＳ２３５を参照）。
【００９８】
また通信部５１は、玉貸ユニット２０から残額取得要求を受信したことに基づいて、該残額取得要求に含まれる記録媒体ＩＤに対応付けて管理している残額を含む残額通知を該玉貸ユニット２０に対して返信するものである（図７のＳ２０３を参照）。
【００９９】
また通信部５１は端数額加算更新完了通知返信手段の一例であって、前記端数額加算更新処理手段により端数額加算更新処理が完了したことに基づいて、該端数額加算更新処理が完了した旨を示す端数額加算完了通知として、加算更新後の残額を含む残額通知を玉貸ユニット２０に対して返信するものである（図８のＳ３０４を参照）。
【０１００】
さらに通信部５１は精算許諾情報送信手段の一例であって、後述する精算要求送信手段（通信部６１）から送信されてきた精算要求に含まれる記録媒体ＩＤに対応付けて管理している残額又は該残額と前記記録媒体に記録されている端数額との合算額を含む合算額精算許諾情報を精算装置６０に対して送信するものである。具体的には、精算要求に記録媒体ＩＤのみが含まれる場合には、該記録媒体ＩＤに対応付けて管理している残額を含む精算許諾情報を精算装置６０に対して送信する（図１２（ａ）のＳ７０４を参照）。また精算要求に記録媒体ＩＤと端数額が含まれる場合には、該記録媒体ＩＤに対応付けて管理している残額が零であるか否かの判定が制御部５２により行われる。そして、該残額が零でないと判定された場合には、該残額と端数額との合算額を含む精算許諾情報を精算装置６０に対して送信し（図１２（ｂ）のＳ８０７を参照）、該残額が零であると判定された場合には、端数額を含む精算許諾情報を精算装置６０に対して送信する（図１２（ｂ）のＳ８０７’を参照）。
【０１０１】
精算装置６０は、前記第１の排出処理により排出された記録媒体（即ち端数額が記録されていない会員カード４又はビジタコイン５）を受け付けて、該受け付けた記録媒体の記録媒体ＩＤに対応付けて管理装置５０で管理されている残額に相当する貨幣を払い出すと共に、前記第２の排出処理により排出された記録媒体（即ち端数額が記録されている会員カード４又はビジタコイン５）を受け付けて、該受け付けた記録媒体に記録されている端数額に相当する貨幣を払い出すものである。この精算装置６０は、遊技場内の所定箇所（例えば遊技島の端部や景品交換カウンタの近傍等）に設けられ、図５（ａ）に示すように、キオスク端末型の形状を呈するものであり、その前面にディスプレイ６３，会員カード挿入口６４ａ，コイン投入口６５ａ，紙幣払出口６６ａ，及び硬貨払出口６７ａ等を備え、図１に示すように、その内部に通信部６１，制御部６２，カードＲ／Ｗ６４，コインＲ／Ｗ６５，紙幣払出機６６，及び硬貨払出機６７等を備えており、これらの各構成要素は図１に示すように接続されている。
【０１０２】
通信部６１は、管理装置５０の通信部５１と通信可能に接続されており、精算装置６０と管理装置５０との間における通信を司るものである。この通信部６１は精算要求送信手段の一例であって、会員カード４又はビジタコイン５を受け付けたことに基づいて、該受け付けた記録媒体に記録されている記録媒体ＩＤを少なくとも含む精算要求を管理装置５０に対して送信するものである。具体的には、端数額が記録されていない会員カード４又はビジタコイン５を受け付けた場合には、該会員カード４又はビジタコイン５の記録媒体ＩＤを含む精算要求を管理装置５０に対して送信する（図１２（ａ）のＳ７０２を参照）。また端数額が記録されている会員カード４又はビジタコイン５を受け付けた場合には、該会員カード４又はビジタコイン５の記録媒体ＩＤと該記録されている端数額を含む精算要求を管理装置５０に対して送信する（図１２（ｂ）のＳ８０３を参照）。
【０１０３】
制御部６２は、ＣＰＵ，ＲＡＭ，ＲＯＭ等を備えており、ＲＯＭに記憶されている処理プログラムがＲＡＭを作業領域としてＣＰＵで実行されることにより、精算装置６０に備えられる各構成要素の動作を制御して各種の処理を行うものである。
【０１０４】
この制御部６２は端数額判定手段の一例であって、当該精算装置６０で受け付けた会員カード４又はビジタコイン５に記録されている端数額が予め定められた所定の金額未満であるか否かを判定するものであり、ここでは該端数額が税込単位額未満であるか否かを判定する（図１２（ｂ）のＳ８０２を参照）。この精算装置６０では、該端数額判定手段により端数額が所定の金額（ここでは税込単位額）未満であると判定されたことを条件として、該端数額に相当する貨幣が払い出される。
【０１０５】
また精算装置６０では、前記通信不可能状態発生判定手段（管理装置５０の制御部５２）によりオフライン状態が発生したと判定されたことを条件として、前記端数額に相当する貨幣が払い出される。具体的には、前記通信不可能状態発生判定手段によりオフライン状態が発生したと判定されると、前記精算許諾情報送信手段（管理装置５０の通信部５１）から精算許諾情報が送信されてくるので、該精算許諾情報が送信されてきたことに基づいて、精算が行われる。
【０１０６】
さらに精算装置６０では、前記精算許諾情報送信手段から送信されてきた合算額精算許諾情報から特定される前記残額と前記端数額との合算額に相当する貨幣が払い出される。具体的には、管理装置５０から送信されてきた精算許諾情報に残額のみが含まれる場合には、該残額に相当する貨幣が払い出され、残額と端数額の合算額が含まれる場合には、該合算額に相当する貨幣が払い出され、端数額のみが含まれる場合には、該端数額に相当する貨幣が払い出される。
【０１０７】
ディスプレイ６３は、図５（ｂ）に示すように、各種の情報を表示するための表示デバイスである。このディスプレイ６３では、会員カード４又はビジタコイン５を受付可能なときに、Ｄ１に示すように、会員カード４又はビジタコイン５の挿入を促す旨が表示される。また貨幣を払い出すときに、Ｄ２に示すように、残額を返却する旨，及び会員カード４の抜き取りを指示する旨又はビジタコイン５を回収する旨が表示される。なお会員カード４又はビジタコイン５に異常があるときには、Ｄ３に示すように、その旨が表示される。
【０１０８】
カードＲ／Ｗ６４は、カード挿入口６４ａから挿入された会員カード４を受け付けて、該会員カード４に記録されている記録媒体ＩＤ及び端数額を読み取ると共に、該会員カード４から端数額を消去するものであり、ここでは前記ＩＣカードである会員カード４に対応したＩＣカードＲ／Ｗを備えている。この精算装置６０において精算が完了した会員カード４は、カード挿入口６４ａから排出されて、遊技者に返却される。
【０１０９】
コインＲ／Ｗ６５は、コイン投入口６５ａから投入されたビジタコイン５を受け付けて、該ビジタコイン５に記録されている記録媒体ＩＤ及び端数額を読み取ると共に、該ビジタコイン５から端数額を消去するものであり、ここでは前記ＩＣコインであるビジタコイン５に対応したＩＣコインＲ／Ｗを備えている。この精算装置６０において精算が完了したビジタコイン５は、コインＲ／Ｗ６５の下部に設けられるコイン回収部６５ｂに回収されて、遊技者には返却されない。
【０１１０】
紙幣払出機６６及び硬貨払出機６７は、貨幣を払い出すものであり、具体的には、紙幣払出機６６の背後に設けられる紙幣収納部６６ｂから、所定の種類及び所定数の紙幣２を取り出して、紙幣払出口６６ａから払い出すと共に、硬貨払出機６７の上部に設けられる硬貨収納部６７ｂから、所定の種類及び所定数の硬貨３を取り出して、硬貨払出口６７ａから払い出す。この精算装置６０では、１円単位で貨幣の払い出しが可能である。
【０１１１】
次に、図６〜図１２を参照して、遊技用システム１の作用について説明する。なお各図中においては、会員カード４を「カード」，ビジタコイン５を「コイン」，管理装置５０で管理されている残額を「管理残額」，制御部２１のＲＡＭで記憶されている残額を「記憶残額」，及び制御部２１のＲＡＭで記憶されている端数額を「記憶端数額」と表記する。
【０１１２】
まず図６は、管理装置５０とオンライン状態であり、記録媒体を受け付けていない玉貸ユニット２０における処理の一例を表す図である。この玉貸ユニット２０は、コイン収納部２７ａから排出されたビジタコイン５を収納コイン保持部２７Ｐで保持しており、この状態で貨幣受付手段により貨幣を受け付けると（Ｓ１１１）、収納コイン保持部２７Ｐで保持しているビジタコイン５から下部アンテナ２７を介して記録媒体Ｒ／Ｗ２４により読み取った記録媒体ＩＤ（コインＩＤ）と、受付貨幣額とを含む入金要求を、管理装置５０に対して送信する（Ｓ１１２）。該入金要求を受信した管理装置５０は、該入金要求に含まれる受付貨幣額を該入金要求に含まれる記録媒体ＩＤに対応付けて管理している管理残額に対して加算更新する入金処理を行い（Ｓ１１３）、該入金処理が完了した旨を示す入金完了通知として、前記管理している残額を含む残額通知を、玉貸ユニット２０に対して返信する（Ｓ１１４）。該残額通知を受信した玉貸ユニット２０は、該残額通知に含まれる残額を制御部２１のＲＡＭで記憶し（Ｓ１１５）、記憶残額を残額表示器３０に表示すると共に、該記憶残額に基づく残度数を残度数表示器１４に表示して（Ｓ１１６）、玉貸操作，貨幣受付，又は返却操作を待機する状態となる（Ｓ１１７）。
【０１１３】
ここで玉貸ユニット２０は、Ｓ１１７の状態で玉貸ボタン１５が押下されて玉貸操作を受け付けると（Ｓ１２１）、前述の如く使用額分（本例では５００円）の玉貸処理を行い（Ｓ１２２）、前記ビジタコイン５の記録媒体ＩＤと、使用額＋消費税額とを含む玉貸通知を、管理装置５０に対して送信する（Ｓ１２３）。該玉貸通知を受信した管理装置５０は、該玉貸通知に含まれる使用額＋消費税額を該玉貸通知に含まれる記録媒体ＩＤに対応付けて管理している残額から減算更新する減算処理を行い（Ｓ１２４）、該減算処理が完了した旨を示す減算完了通知を玉貸ユニット２０に対して返信する（Ｓ１２５）。該減算完了通知を受信した玉貸ユニット２０は、使用額＋消費税額を記憶残額から減算更新し、残額表示器３０における記憶残額の表示，及び残度数表示器１４における残度数の表示を更新して、再びＳ１１７の状態となる。
【０１１４】
また玉貸ユニット２０は、Ｓ１１７の状態で貨幣受付手段により貨幣を受け付けると、前記Ｓ１１１〜Ｓ１１６と同様の処理を行い、再びＳ１１７の状態となる。
【０１１５】
さらに玉貸ユニット２０は、Ｓ１１７の状態で返却ボタン１６が押下されて返却操作を受け付けると（Ｓ１３１）、記憶残額が零であるか否かを判定する（Ｓ１３２）。このＳ１３２で記憶残額が零である（ＹＥＳ）と判定された場合には、返却操作が無効とされ、収納コイン保持部２７Ｐで保持しているビジタコイン５を返却しない。一方、Ｓ１３２で記憶残額が零でない（ＮＯ）と判定された場合には、前記ビジタコイン５の記録媒体ＩＤを含む返却通知を、管理装置５０に対して送信する（Ｓ１３３）。該返却通知を受信した管理装置５０は、返却許諾通知を、玉貸ユニット２０に対して返信する（Ｓ１３４）。該返却許諾通知を受信した玉貸ユニット２０は、収納コイン保持部２７Ｐで保持しているビジタコイン５に対して、オンライン残高ありフラグを下部アンテナ２７を介して記録媒体Ｒ／Ｗ２４により記録し（Ｓ１３５）、記憶残額を消去して（Ｓ１３６）、第２の収納コインストッパ２７ｄを開放状態とすることにより、収納コイン保持部２７Ｐで保持しているビジタコイン５を返却する（Ｓ１３７）。そして第２の収納コインストッパ２７ｄを閉鎖状態とし、第１の収納コインストッパ２７ｃを開放状態とすることにより、コイン収納部２７ａで保持している最下位のビジタコイン５を該コイン収納部２７ａから排出して収納コイン保持部２７Ｐで保持する（Ｓ１３８）。
【０１１６】
次に図７及び図８は、管理装置５０とオンライン状態で記録媒体を受け付けた玉貸ユニット２０における処理の一例を表す図である。この玉貸ユニット２０は、会員カード４の挿入をカード挿入口２４ａから受け付けるか，又はビジタコイン５の投入をコイン投入口２５から受け付けると、該受け付けた会員カード４又はビジタコイン５の記録情報を読み取り、該読み取った記録情報に端数額が含まれるか否かを判定する。ここで端数額が含まれない（即ち端数額が記録されていない）と判定されると図７に進み、端数額が含まれる（即ち端数額が記録されている）と判定されると図８に進む。
【０１１７】
図７は、管理装置５０とオンライン状態であり、端数額が記録されていない記録媒体を受け付けた玉貸ユニット２０における処理の一例を表す図である。この玉貸ユニット２０は、端数額が記録されていない会員カード４の挿入をカード挿入口２４ａから受け付けるか，又は端数額が記録されていないビジタコイン５の投入をコイン投入口２５から受け付けると（Ｓ２０１）、該受け付けた会員カード４から下部アンテナ２７を介して記録媒体Ｒ／Ｗ２４により読み取った記録媒体ＩＤ（カードＩＤ），又は投入コイン保持部２６Ｐで保持したビジタコイン５から上部アンテナ２６を介して記録媒体Ｒ／Ｗ２４により読み取った記録媒体ＩＤ（コインＩＤ）を含む残額取得要求を、管理装置５０に対して送信する（Ｓ２０２）。該残額取得要求を受信した管理装置５０は、該残額取得要求に含まれる記録媒体ＩＤに対応付けて管理している残額を含む残額通知を、玉貸ユニット２０に対して返信する（Ｓ２０３）。該残額通知を受信した玉貸ユニット２０は、該残額通知に含まれる残額を制御部２１のＲＡＭで記憶し（Ｓ２０４）、記憶残額を残額表示器３０に表示すると共に、該記憶残額に基づく残度数を残度数表示器１４に表示して（Ｓ２０５）、玉貸操作，貨幣受付，又は返却操作を待機する状態となる（Ｓ２０６）。
【０１１８】
ここで玉貸ユニット２０は、Ｓ２０６の状態で玉貸ボタン１５が押下されて玉貸操作を受け付けると（Ｓ２１１）、前述の如く使用額分の玉貸処理を行い（Ｓ２１２）、前記会員カード４又はビジタコイン５の記録媒体ＩＤと、使用額＋消費税額とを含む玉貸通知を、管理装置５０に対して送信する（Ｓ２１３）。該玉貸通知を受信した管理装置５０は、該玉貸通知に含まれる使用額＋消費税額を該玉貸通知に含まれる記録媒体ＩＤに対応付けて管理している残額から減算更新する減算処理を行い（Ｓ２１４）、該減算処理が完了した旨を示す減算完了通知を玉貸ユニット２０に対して返信する（Ｓ２１５）。該減算完了通知を受信した玉貸ユニット２０は、使用額＋消費税額を記憶残額から減算更新し、残額表示器３０における記憶残額の表示，及び残度数表示器１４における残度数の表示を更新して、再びＳ２０６の状態となる。なお玉貸ユニット２０において、ビジタコイン５を受付中に、記憶残額が零になったときには、第２の投入コインストッパ２６ｄを開放状態とすることにより、投入コイン保持部２６Ｐで保持しているビジタコイン５をコイン収納部２７ａに収納する（※）。
【０１１９】
また玉貸ユニット２０は、Ｓ２０６の状態で貨幣受付手段により貨幣を受け付けると（Ｓ２２１）、前記会員カード４又はビジタコイン５の記録媒体ＩＤと、受付貨幣額とを含む入金要求を、管理装置５０に対して送信し（Ｓ２２２）、以下Ｓ２２３〜Ｓ２２６で、前記Ｓ１１３〜Ｓ１１６と同様の処理を行い、再びＳ２０６の状態となる。
【０１２０】
さらに玉貸ユニット２０は、Ｓ２０６の状態で返却ボタン１６が押下されて返却操作を受け付けると（Ｓ２３１）、会員カード４又はビジタコイン５を受付中であるか否かを判定する（Ｓ２３２）。このＳ２３２で会員カード４又はビジタコイン５を受付中でない（ＮＯ）と判定された場合には、返却操作が無効とされる。一方、Ｓ２３２で会員カード４又はビジタコイン５を受付中である（ＹＥＳ）と判定された場合には、会員カード４の記録媒体ＩＤ又はビジタコイン５の記録媒体ＩＤを含む返却通知を、管理装置５０に対して送信する（Ｓ２３３）。該返却通知を受信した管理装置５０は、返却許諾通知を、玉貸ユニット２０に対して返信する（Ｓ２３４）。該返却許諾通知を受信した玉貸ユニット２０は、記憶残額を消去して（Ｓ２３５）、カード保持部２４Ｐで保持している会員カード４を返却するか、又は第２の投入コインストッパ２６ｄを開放状態とすることにより、投入コイン保持部２６Ｐで保持しているビジタコイン５を返却する（Ｓ２３６）。即ち、ビジタコイン５の受付中に記憶残額が零になると、前述の如く該ビジタコイン５がコイン収納部２７ａに収納されることから、前記Ｓ２３２でビジタコイン５を受付中であると判定されるということは、該ビジタコイン５の記録媒体ＩＤに対応付けて管理されている残額があるということであるため、該ビジタコイン５が返却される。
【０１２１】
図８は、管理装置５０とオンライン状態であり、端数額が記録されている記録媒体を受け付けた玉貸ユニット２０における処理の一例を表す図である。この玉貸ユニット２０は、端数額が記録されている会員カード４の挿入をカード挿入口２４ａから受け付けるか，又は端数額が記録されているビジタコイン５の投入をコイン投入口２５から受け付けると（Ｓ３０１）、該受け付けた会員カード４から下部アンテナ２７を介して記録媒体Ｒ／Ｗ２４により読み取った記録媒体ＩＤ（カードＩＤ）と端数額，又は投入コイン保持部２６Ｐで保持したビジタコイン５から上部アンテナ２６を介して記録媒体Ｒ／Ｗ２４により読み取った記録媒体ＩＤ（コインＩＤ）と端数額を含む端数額加算更新要求を、管理装置５０に対して送信する（Ｓ３０２）。該残額取得要求を受信した管理装置５０は、該端数額加算更新要求に含まれる記録媒体ＩＤに対応付けて管理している残額に対して該端数額加算更新要求に含まれる端数額を加算更新する端数額加算更新処理を行い（Ｓ３０３）、該端数額加算更新処理が完了した旨を示す端数額加算更新完了通知として、前記加算更新後の残額を含む残額通知を、玉貸ユニット２０に対して返信する（Ｓ３０４）。
【０１２２】
該残額通知を受信した玉貸ユニット２０は、前記会員カード４又はビジタコイン５に記録されている端数額を消去して（Ｓ３０５）、前記Ｓ２０４以下の処理を行う。このように、オンライン状態にある玉貸ユニット２０において、オフライン状態にあった他の玉貸ユニット２０で発生した端数額が記録された会員カード４又はビジタコイン５が受け付けられると、該端数額が管理装置５０で管理されている残額に対して加算更新されることにより、該端数額を精算しなくても遊技に使用できるようになるので、遊技者の利便性が向上する。
【０１２３】
次に図９は、管理装置５０とオフライン状態であり、記録媒体を受け付けていない玉貸ユニット２０における処理の一例を表す図である。この玉貸ユニット２０は、コイン収納部２７ａから排出されたビジタコイン５を収納コイン保持部２７Ｐで保持しており、この状態で貨幣受付手段により貨幣（例えば１０００円）を受け付けると（Ｓ４１１）、受付貨幣額が１０００円以下であるか否かを判定する（Ｓ４１２）。このＳ４１２で受付貨幣額が１０００円以下でない（ＮＯ）と判定された場合、即ちＳ４１１で２０００円以上を受け付けたと判定された場合には、該受け付けた貨幣を返却する。一方、Ｓ４１２で受付貨幣額が１０００円以下である（ＹＥＳ）と判定された場合には、Ｓ４１３に進む。
【０１２４】
Ｓ４１３では、記憶端数額が零なので、受付貨幣額が税込単位額（１０５円）以上であるか否かを判定する。このＳ４１３で受付貨幣額が税込単位額以上でない（ＮＯ）と判定された場合、即ちＳ４１１で１００円を受け付けたと判定された場合には、該受け付けた貨幣を返却する。一方、Ｓ４１３で受付貨幣額が税込単位額以上である（ＹＥＳ）と判定された場合、即ちＳ４１１で５００円以上を受け付けたと判定された場合には、該受け付けた貨幣を回収して、Ｓ４１４に進む。
【０１２５】
Ｓ４１４では、前記特定手段により、受付貨幣額（１０００円）から、貸与対象額（９４５円）を特定すると共に、端数額（５５円）を特定する。そして前述の如く、該特定された貸与対象額分の玉貸処理である一発貸しを行い（Ｓ４１５）、該特定された端数額を制御部２１のＲＡＭで記憶して（Ｓ４１６）、記憶端数額を残額表示器３０に表示し（Ｓ４１７）、貨幣受付，又は返却操作を待機する状態となる（Ｓ４１８）。
【０１２６】
また玉貸ユニット２０は、制御部２１のＲＡＭで端数額（５５円）を記憶している状態で貨幣受付手段により貨幣（例えば１０００円）を受け付けると（Ｓ４２１）、Ｓ４２２で、前記Ｓ４１２と同様の判定を行い、ＹＥＳの場合には、Ｓ４２３で、記憶端数額と受付貨幣額との合算額が税込単位額（１０５円）以上であるか否かを判定する。このＳ４２３で合算額が税込単位額以上でない（ＮＯ）と判定された場合には、Ｓ４２１で受け付けた貨幣を返却する。一方、Ｓ４２３で合算額が税込単位額以上である（ＹＥＳ）と判定された場合には、Ｓ４２１で受け付けた貨幣を回収して、Ｓ４２４に進む。このように、オフライン状態にある玉貸ユニット２０において、貨幣が受け付けられると、一発貸しによって発生する端数額と受付貨幣額との合算額が税込単位額以上であることを条件として、受け付けた貨幣が回収されて貸与対象額分の玉貸処理が行われることにより、税込単位額未満の低額貨幣も使用可能となるので、遊技者の利便性が向上する。
【０１２７】
Ｓ４２４では、前記特定手段により、記憶端数額と受付貨幣額との合算額（１０５５円）から、貸与対象額（１０５０円）を特定すると共に、端数額（５円）を新たに特定する。そして前述の如く、該特定された貸与対象額分の玉貸処理を行い（Ｓ４２５）、新たに特定された端数額を制御部２１のＲＡＭで記憶、即ち記憶端数額を新たに特定された端数額に更新して（Ｓ４２６）、前記Ｓ４１７に進む。このように、一発貸し後さらに貨幣が受け付けられると、端数額と受付貨幣額との合算額から貸与対象額と端数額が特定され、後述するＳ４３１で遊技者から排出操作を受け付けると、端数額を記録した記録媒体が排出されることにより、一発貸しを行う毎に記録媒体を排出する場合に比べて記録媒体の節約になると共に、遊技者にとっても端数額が記録された記録媒体を複数扱う必要がなくなって利便性が向上する。
【０１２８】
さらに玉貸ユニット２０は、Ｓ４１８の状態で返却ボタン１６が押下されて返却操作を受け付けると（Ｓ４３１）、記憶端数額が零であるか否かを判定する（Ｓ４３２）。このＳ４３２で記憶端数額が零である（ＹＥＳ）と判定された場合には、返却操作が無効とされ、収納コイン保持部２７Ｐで保持しているビジタコイン５を返却しない。一方、Ｓ４３２で記憶端数額が零でない（ＮＯ）と判定された場合には、収納コイン保持部２７Ｐで保持しているビジタコイン５に対して、記憶端数額を下部アンテナ２７を介して記録媒体Ｒ／Ｗ２４により記録し（Ｓ４３３）、記憶端数額を消去して（Ｓ４３４）、第２の収納コインストッパ２７ｄを開放状態とすることにより、収納コイン保持部２７Ｐで保持しているビジタコイン５を返却する（Ｓ４３５）。そして第２の収納コインストッパ２７ｄを閉鎖状態とし、第１の収納コインストッパ２７ｃを開放状態とすることにより、コイン収納部２７ａで保持している最下位のビジタコイン５を該コイン収納部２７ａから排出して収納コイン保持部２７Ｐで保持する（Ｓ４３６）。このように、玉貸ユニット２０において、一発貸しによって発生する端数額が記憶され、遊技者から排出操作を受け付けると、該記憶されている端数額を記録した記録媒体が排出されるので、一発貸しを行う毎に端数額を記録媒体に記録する場合に比べて、記録媒体の寿命を延ばすことができる。
【０１２９】
次に図１０及び図１１は、管理装置５０とオフライン状態で記録媒体を受け付けた玉貸ユニット２０における処理の一例を表す図である。この玉貸ユニット２０は、会員カード４の挿入をカード挿入口２４ａから受け付けるか，又はビジタコイン５の投入をコイン投入口２５から受け付けると、該受け付けた会員カード４又はビジタコイン５の記録情報を読み取り、該読み取った記録情報に端数額が含まれるか否かを判定する。ここで端数額が含まれない（即ち端数額が記録されていない）と判定されると図１０に進み、端数額が含まれる（即ち端数額が記録されている）と判定されると図１１に進む。
【０１３０】
図１０は、管理装置５０とオフライン状態であり、端数額が記録されていない記録媒体を受け付けた玉貸ユニット２０における処理の一例を表す図である。この玉貸ユニット２０は、端数額が記録されていない会員カード４の挿入をカード挿入口２４ａから受け付けるか，又は端数額が記録されていないビジタコイン５の投入をコイン投入口２５から受け付けて（Ｓ５０１）、貨幣受付手段により貨幣（例えば１０００円）を受け付けると（Ｓ５１１）、以下Ｓ５１２〜Ｓ５１８で、前記Ｓ４１２〜Ｓ４１８と同様の処理を行う。また玉貸ユニット２０は、制御部２１のＲＡＭで端数額（５５円）を記憶している状態で貨幣受付手段により貨幣（例えば１０００円）を受け付けると（Ｓ５２１）、以下Ｓ５２２〜Ｓ５２６で、前記Ｓ４２２〜Ｓ４２６と同様の処理を行い、Ｓ５１７に戻って、再びＳ５１８の状態となる。
【０１３１】
さらに玉貸ユニット２０は、Ｓ５１８の状態で返却ボタン１６が押下されて返却操作を受け付けると（Ｓ５３１）、記憶端数額が零であるか否かを判定する（Ｓ５３２）。このＳ５３２で記憶端数額が零でない（ＮＯ）と判定された場合には、カード保持部２４Ｐで保持している会員カード４に対して、記憶端数額を下部アンテナ２７を介して記録媒体Ｒ／Ｗ２４により記録するか，又は投入コイン保持部２６Ｐで保持しているビジタコイン５に対して、記憶端数額を上部アンテナ２６を介して記録媒体Ｒ／Ｗ２４により記録し（Ｓ５３３）、記憶端数額を消去して（Ｓ５３４）、カード保持部２４Ｐで保持している会員カード４を返却するか，又は第２の投入コインストッパ２６ｄを開放状態とすることにより、投入コイン保持部２６Ｐで保持しているビジタコイン５を返却する（Ｓ５３５）。即ちコイン投入口２５から投入されたビジタコイン５は、記憶端数額がある場合に返却される。
【０１３２】
一方、Ｓ５３２で記憶端数額が零である（ＹＥＳ）と判定された場合には、ビジタコイン５を受付中であるか否かを判定する（Ｓ５３６）。このＳ５３６でビジタコイン５を受付中でない（ＮＯ）、即ち会員カード４を受付中であると判定された場合には、前記Ｓ５３５に進んで、カード保持部２４Ｐで保持している該会員カード４を返却する。一方、Ｓ５３６でビジタコイン５を受付中である（ＹＥＳ）と判定された場合には、Ｓ５３７に進む。
【０１３３】
Ｓ５３７では、該ビジタコイン５にオンライン残額ありフラグ（図６のＳ１３５を参照）が記録されているか否かを判定する（Ｓ５３７）。このＳ５３７でオンライン残額ありフラグが記録されていない（ＮＯ）と判定された場合には、返却操作が無効とされ、第１の投入コインストッパ２６ｃを開放状態とすることにより、投入コイン保持部２６Ｐで保持しているビジタコイン５をコイン収納部２７ａに収納する。一方、Ｓ５３７でオンライン残額ありフラグが記録されている（ＹＥＳ）と判定された場合には、前記Ｓ５３５に進んで、第２の投入コインストッパ２６ｄを開放状態とすることにより、投入コイン保持部２６Ｐで保持しているビジタコイン５を返却する。即ちコイン投入口２５から投入されたビジタコイン５は、オンライン残額ありフラグが記録されている場合にも返却される。ここで、この図１０に示す例では、受け付けたビジタコイン５に端数額が記録されていないことから、該ビジタコイン５には必ずオンライン残額ありフラグが記録されている（換言すれば、端数額もオンライン残額ありフラグも記録されずにビジタコイン５が排出されることはない）ので、Ｓ５３７では必ずＹＥＳと判定される。
【０１３４】
図１１は、管理装置５０とオフライン状態であり、端数額が記録されている記録媒体を受け付けた玉貸ユニット２０における処理の一例を表す図である。この玉貸ユニット２０は、端数額（５５円）が記録されている会員カード４の挿入をカード挿入口２４ａから受け付けるか，又は端数額（５５円）が記録されているビジタコイン５の投入をコイン投入口２５から受け付ると（Ｓ６０１）、該受け付けた会員カード４から下部アンテナ２７を介して記録媒体Ｒ／Ｗ２４により読み取った端数額，又は投入コイン保持部２６Ｐで保持したビジタコイン５から上部アンテナ２６を介して記録媒体Ｒ／Ｗ２４により読み取った端数額を、制御部２１のＲＡＭで記憶して（Ｓ６０２）、記憶端数額を残額表示器３０に表示する（Ｓ６０３）。
【０１３５】
そして玉貸ユニット２０は、制御部２１のＲＡＭで端数額（５５円）を記憶している状態で貨幣受付手段により１０００円以下の貨幣（例えば１０００円）を受け付けると（Ｓ６１１）、受付貨幣額が１０００円以下であるか否かを判定する（Ｓ６１２）。このＳ６１２で受付貨幣額が１０００円以下でない（ＮＯ）と判定された場合、即ちＳ６１１で２０００円以上を受け付けたと判定された場合には、該受け付けた貨幣を返却する。一方、Ｓ６１２で受付貨幣額が１０００円以下である（ＹＥＳ）と判定された場合には、Ｓ６１３に進む。
【０１３６】
Ｓ６１３では、記憶端数額と受付貨幣額との合算額が税込単位額（１０５円）以上であるか否かを判定する。このＳ６１３で合算額が税込単位額以上でない（ＮＯ）と判定された場合には、Ｓ６１１で受け付けた貨幣を返却する。一方、Ｓ６１３で合算額が税込単位額以上である（ＹＥＳ）と判定された場合には、Ｓ６１１で受け付けた貨幣を回収して、Ｓ６１４に進む。このように、オフライン状態にある玉貸ユニット２０において、オフライン状態にあった他の玉貸ユニット２０で発生した端数額が記録されている会員カード４又はビジタコイン５が受け付けられ、さらに貨幣が受け付けられると、該端数額と受付貨幣額との合算額が税込単位額以上であることを条件として、受け付けた貨幣が回収されて貸与対象額分の玉貸処理が行われることにより、税込単位額未満の低額貨幣も使用可能となるので、遊技者の利便性が向上する。
【０１３７】
Ｓ６１４では、前記特定手段により、記憶端数額と受付貨幣額との合算額（１０５５円）から、貸与対象額（１０５０円）を特定すると共に、端数額（５円）を新たに特定する。そして前述の如く、該特定された貸与対象額分の玉貸処理を行い（Ｓ６１５）、新たに特定された端数額を制御部２１のＲＡＭで記憶、即ち記憶端数額を新たに特定された端数額に更新して（Ｓ６１６）、記憶端数額を残額表示器３０に表示し（Ｓ６１７）、貨幣受付，又は返却操作を待機する状態となる（Ｓ６１８）。このように、オフライン状態にある玉貸ユニット２０において、オフライン状態にあった他の玉貸ユニット２０で発生した端数額が記録された記録媒体が受け付けられ、さらに貨幣が受け付けられると、該端数額と受付貨幣額との合算額から貸与対象額と端数額が特定されることにより、オフライン状態にあった他の玉貸ユニット２０で発生した端数額を遊技に使用できるようになるので、端数額が記録された記録媒体を複数扱う必要がなくなって、遊技者の利便性が向上する。
【０１３８】
また玉貸ユニット２０は、制御部２１のＲＡＭで端数額（５円）を記憶している状態で貨幣受付手段により１０００円以下の貨幣（例えば１０００円）を受け付けると（Ｓ６２１）、以下Ｓ６２２〜Ｓ６２６で、前記Ｓ６１２〜Ｓ６１６と同様の処理を行い、Ｓ６１７に戻って、再びＳ６１８の状態となる。さらに玉貸ユニット２０は、Ｓ６１８の状態で返却ボタン１６が押下されて返却操作を受け付けると（Ｓ６３１）、以下Ｓ６３２〜Ｓ６３７で、前記Ｓ５３２〜Ｓ５３７と同様の処理を行う。
【０１３９】
次に図１２は、管理装置５０とオンライン状態で記録媒体を受け付けた精算装置６０における処理の一例を表す図である。この精算装置６０は、会員カード４の挿入をカード挿入口６４ａから受け付けるか，又はビジタコイン５の投入をコイン投入口６５ａから受け付けると、該受け付けた会員カード４又はビジタコイン５の記録情報を読み取り、該読み取った記録情報に端数額が含まれるか否かを判定する。ここで端数額が含まれない（即ち端数額が記録されていない）と判定されると図１２（ａ）に進み、端数額が含まれる（即ち端数額が記録されている）と判定されると図１２（ｂ）に進む。
【０１４０】
図１２（ａ）は、管理装置５０とオンライン状態であり、端数額が記録されていない記録媒体を受け付けた精算装置６０における処理の一例を表す図である。この精算装置６０は、端数額が記録されていない会員カード４の挿入をカード挿入口６４ａから受け付けるか，又は端数額が記録されていないビジタコイン５の投入をコイン投入口６５ａから受け付けると（Ｓ７０１）、該受け付けた会員カード４からカードＲ／Ｗ６４により読み取った記録媒体ＩＤ，又は該受け付けたビジタコイン５からコインＲ／Ｗ６５により読み取った記録媒体ＩＤを含む精算要求を、管理装置５０に対して送信する（Ｓ７０２）。該精算要求を受信した管理装置５０は、該精算要求に含まれる記録媒体ＩＤに対応付けて管理している残額を消去して（Ｓ７０３）、該残額のみを含む精算許諾情報を精算装置６０に対して返信する（Ｓ７０４）。該精算許諾情報を受信した精算装置６０は、該精算許諾情報に含まれる残額に相当する貨幣を払い出し（Ｓ７０５）、ビジタコイン５を受付中であるか否かを判定する（Ｓ７０６）。このＳ７０６でビジタコイン５を受付中でない（ＮＯ）、即ち会員カード４を受付中であると判定された場合には、カードＲ／Ｗ６４で受け付けている該会員カード４を返却する。一方、Ｓ７０６でビジタコイン５を受付中である（ＹＥＳ）と判定された場合には、コインＲ／Ｗ６５で受け付けているビジタコイン５をコイン回収部６５ｂに回収する（Ｓ７０７）。
【０１４１】
図１２（ｂ）は、管理装置５０とオンライン状態であり、端数額が記録されている記録媒体を受け付けた精算装置６０における処理の一例を表す図である。この精算装置６０は、端数額が記録されている会員カード４の挿入をカード挿入口６４ａから受け付けるか，又は端数額が記録されているビジタコイン５の投入をコイン投入口６５ａから受け付けると（Ｓ８０１）、該受け付けた会員カード４からカードＲ／Ｗ６４により読み取った端数額，又は該受け付けたビジタコイン５からコインＲ／Ｗ６５により読み取った端数額が、税込単位額未満であるか否かを判定する（Ｓ８０２）。このＳ８０２で端数額が税込単位額未満でない（ＮＯ）と判定された場合には、エラー処理として、図５（ｂ）のＤ３に示す画面をディスプレイ６３に表示する。一方、Ｓ８０２で端数額が税込単位額未満である（ＹＥＳ）と判定された場合には、前記受け付けた会員カード４からカードＲ／Ｗ６４により読み取った記録媒体ＩＤと端数額，又は前記受け付けたビジタコイン５からコインＲ／Ｗ６５により読み取った記録媒体ＩＤと端数額を含む精算要求を、管理装置５０に対して送信する（Ｓ８０３）。このように、記録媒体に記録されている端数額が予め定められた所定の金額（ここでは税込単位額）未満であることを条件として端数額の精算が行われることにより、記録情報が改ざんされた記録媒体により不正に精算が行われたとしても前記所定の金額未満の貨幣しか払い出されないので、不正による被害を最小限に抑えることができる。
【０１４２】
該精算要求を受信した管理装置５０は、ハードディスク５５の記憶内容に基づいて、精算可能期間内（ここでは当日中）にオフライン状態が発生したか否かを判定する（Ｓ８０４）。このＳ８０４で当日中にオフライン状態が発生していない（ＮＯ）と判定された場合には、精算不可情報を、精算装置６０に対して返信する。一方、Ｓ８０４で当日中にオフライン状態が発生している（ＹＥＳ）と判定された場合には、Ｓ８０５以下に進んで、端数額の精算が許諾される。このように、精算可能期間内にオフライン状態が発生したと判定されたことを条件として端数額の精算が行われることにより、精算可能期間内にオフライン状態が発生しておらず記録媒体に端数額が記録されることがない状況においては端数額の精算が行われないので、セキュリティが向上する。
【０１４３】
Ｓ８０５では、前記精算要求に含まれる記録媒体ＩＤと対応付けて管理されている残額が零であるか否かを判定する。このＳ８０５で該残額が零でない（ＮＯ）と判定された場合には、該残額を消去して（Ｓ８０６）、該残額と前記端数額との合算額を含む精算許諾情報を精算装置６０に対して返信する（Ｓ８０７）。一方、Ｓ８０５で該残額が零である（ＹＥＳ）と判定された場合には、前記端数額のみを含む精算許諾情報を精算装置６０に対して返信する（Ｓ８０７’）。該精算許諾情報を受信した精算装置６０は、該精算許諾情報に含まれる合算額又は端数額に相当する貨幣を払い出して（Ｓ８０８）、Ｓ８０９に進む。このように、精算装置６０において、管理装置５０で管理されている残額とオフライン状態にあった玉貸ユニット２０で発生した端数額との合算額に相当する貨幣が払い出されることにより、該合算額を１回で精算できるので、遊技者の利便性が向上する。
【０１４４】
Ｓ８０９では、前記会員カード４又はビジタコイン５に記録されている端数額を消去して、ビジタコイン５を受付中であるか否かを判定する（Ｓ８１０）。このＳ８１０でビジタコイン５を受付中でない（ＮＯ）、即ち会員カード４を受付中であると判定された場合には、カードＲ／Ｗ６４で受け付けている該会員カード４を返却する。一方、Ｓ８１０でビジタコイン５を受付中である（ＹＥＳ）と判定された場合には、コインＲ／Ｗ６５で受け付けているビジタコイン５をコイン回収部６５ｂに回収する（Ｓ８１１）。
【０１４５】
以上に説明した遊技用システム１によれば、いわゆる完全ＩＤ管理のシステムにおいて、玉貸処理に使用された使用額に対応する消費税額を徴収し、かつ管理装置５０と通信できないオフライン状態で玉貸ユニット２０が貨幣を受け付けたときにいわゆる一発貸しを行うようにしても、該一発貸しによって発生する端数額が記録媒体に記録されて排出され、該端数額の精算が行われることにより、該端数額を処理するための釣銭払出機能や追加入金機能を玉貸ユニット２０に設ける必要がないので、玉貸ユニット２０のコストが上昇することがない。
【０１４６】
最後に、本発明の変形例について説明する。
【０１４７】
上記の実施形態では、消費税率が５％である例について説明したが、これに限らず、該消費税率は設定変更可能である。また上記の実施形態では、消費税率がカード会社で設定される例について説明したが、遊技場において、管理装置５０で設定されて各玉貸ユニット２０に配信されて記憶されるようにしても良く、また各玉貸ユニット２０で設定されて記憶されるようにしても良い。
【０１４８】
上記の実施形態では、図１に示すように、玉貸ユニット２０と管理装置５０とが直接的に通信可能に接続されている例について説明したが、これに限らず、両者の間に台端末や中継コンピュータを介在させ、両者が間接的に通信可能に接続されるようにしても良い。また両者は有線で通信可能とされるものには限られず、無線で通信可能とされるものであっても良い。
【０１４９】
上記の実施形態では、図１の表に示すように、管理装置５０において、記録媒体ＩＤと対応付けて単に残額が記憶・管理されている例について説明したが、これに限らず、該残額の使用履歴（例えば入金金額，使用金額，精算金額等）も併せて記憶・管理するようにしても良い。
【０１５０】
上記の実施形態では、図１の表に示すように、記録媒体ＩＤが、会員カード４のカードＩＤとビジタコイン５のコインＩＤとで区別されている例について説明したが、これに限らず、会員カード４とビジタコイン５とで区別のないＩＤであっても良い。
【０１５１】
上記の実施形態では、図２（ａ）に示すように、残度数表示器１４，玉貸ボタン１５，及び返却ボタン１６が遊技機（パチンコ機１０）に設けられ、玉貸ユニット２０と接続されている例について説明したが、これに限らず、これら残度数表示器１４，玉貸ボタン１５，及び返却ボタン１６の一部又は全部を玉貸ユニット２０に設けるようにしても良い。
【０１５２】
上記の実施形態では、残度数表示器１４において、玉貸ユニット２０の制御部２１のＲＡＭに記憶されている残額を税込単位額（１０５円）で除算した商の整数部分が残度数として表示される例について説明したが、これに限らず、該残額を単位使用額（１００円）で除算した商の整数部分が残度数として表示されるようにしても良い。
【０１５３】
上記の実施形態では、図２（ｂ）に示すように、紙幣識別機２２にて受付可能な紙幣２の種類が１０００円紙幣，２０００円紙幣，５０００円紙幣，及び１００００円紙幣の４種類である例について説明したが、これに限らず、受付可能な紙幣２の種類は、該４種類のうちの任意の１種類又は２種類以上でも良い。同様に、上記の実施形態では、硬貨識別機２３にて受付可能な硬貨３の種類が１００円硬貨，及び５００円硬貨の２種類である例について説明したが、これに限らず、受付可能な硬貨３の種類は、該２種類のうちの任意の１種類でも良い。なお貨幣として紙幣２及び硬貨３の双方を受け付けるものには限られず、紙幣２又は硬貨３のいずれか一方のみを受け付けるものでも良い。
【０１５４】
上記の実施形態では、図２（ｂ）に示すように、貨幣受付手段（紙幣識別機２２，硬貨識別機２３）により受け付けられて回収された貨幣（紙幣２，硬貨３）が玉貸ユニット２０の外部に排出されて、紙幣搬送機構，硬貨搬送機構により搬送される例について説明したが、これに限らず、該受け付けられて回収された貨幣は、玉貸ユニット２０の内部に貯留されるようにしても良い。
【０１５５】
上記の実施形態では、図２（ｂ）に示すように、貨幣受付手段（紙幣識別機２２，硬貨識別機２３）において、有体物である貨幣（紙幣２，硬貨３）を受け付ける例について説明したが、これに限らず、無体物である貨幣（例えば電子マネー等の貨幣金額に相当する金額データや、クレジットカードから特定される与信金額や、デビットカードから特定される預金金額等）を接触又は非接触で受け付けるようにしても良く、この場合には、貨幣の回収は決済処理の実行に相当し、貨幣の返却は決済処理の中止に相当する。
【０１５６】
上記の実施形態では、図２（ａ）（ｂ）に示すように、記録媒体返却口（コイン返却口２８）が遊技用装置（玉貸ユニット２０）の前面に突出して形成される例について説明したが、これに限らず、該記録媒体返却口は、遊技用装置の前面から陥没して形成されるようにしても良い。
【０１５７】
上記の実施形態では、例えば図６に示すように、Ｓ１１２の入金要求に記録媒体ＩＤが含まれ、残額が入金時から該記録媒体ＩＤと対応付けて管理される例について説明したが、これに限らず、Ｓ１１２の入金要求にユニットＩＤを含むようにして、残額を入金時には該ユニットＩＤと対応付けて管理しておき、Ｓ１３３の返却通知にユニットＩＤと記録媒体ＩＤを含むようにして、該ユニットＩＤに対応する残額を返却時から該記録媒体ＩＤと対応付けて管理するようにしても良い。この場合には、前記残額処理手段は、受付貨幣額から第１の貸与処理に使用された使用額及び該使用額に対応する消費税額を減算した金額を、記録媒体の記録媒体ＩＤと対応付けて管理装置５０で管理するための処理（即ち記録媒体Ｒ／Ｗ２４から読み取った記録媒体ＩＤから特定可能にするための残額特定処理）として、管理装置５０とオンライン状態で貨幣を受け付けたときに、ユニットＩＤと受付貨幣額とを含む前記入金要求を管理装置５０に対して送信する処理と、前記使用額分の玉貸処理が行われたときに、ユニットＩＤと使用額＋消費税額とを含む前記玉貸通知を管理装置５０に対して送信する処理と、排出操作（返却ボタン１６の操作）を受け付けたときに、ユニットＩＤと記録媒体ＩＤとを含む前記返却通知を管理装置５０に対して送信する処理とを行う。
【０１５８】
上記の実施形態では、玉貸ユニット２０において、管理装置５０とオンライン状態で貨幣が受け付けられたときに、該管理装置５０に対して入金要求が送信されて入金処理が行われる例について説明したが、これに限らず、玉貸ユニット２０において、管理装置５０とオンライン状態で貨幣が受け付けられても、該管理装置５０に対して入金要求を送信せずに、受付貨幣額を残額として制御部２１のＲＡＭで記憶して玉貸処理に使用させ、記録媒体（会員カード４，ビジタコイン５）が排出されるときに、管理装置５０に対して記録媒体ＩＤと残額とが送信されて、管理装置５０において該記録媒体ＩＤに対応付けて該残額が管理されるようにしても良い。この場合には、前記残額特定手段は、受付貨幣額から第１の貸与処理に使用された使用額及び該使用額に対応する消費税額を減算した金額（即ち制御部２１のＲＡＭで記憶している前記玉貸処理に使用されなかった残額）を、記録媒体の記録媒体ＩＤと対応付けて管理装置５０で管理するための処理（即ち記録媒体Ｒ／Ｗ２４から読み取った記録媒体ＩＤから特定可能にするための残額特定処理）として、排出操作（返却ボタン１６の操作）を受け付けたときに、記録媒体ＩＤと制御部２１のＲＡＭで記憶している前記玉貸処理に使用されなかった残額とを含む通知を管理装置５０に対して送信する処理を行う。
【０１５９】
上記の実施形態では、会員カード４が非接触式のＩＣカードであり、ビジタコイン５が非接触式のＩＣコインである例について説明したが、これに限らず、各記録媒体は、接触式の集積回路，磁気，二次元コード（例えばバーコード），三次元コード，又は光干渉（例えばホログラム）等により情報を記録するものでも良い。また会員カード４の形状はカード型には限られず、コイン型であっても良い。さらにビジタコイン５の形状もコイン型には限られず、カード型であっても良い。
【０１６０】
上記の実施形態では、会員用の記録媒体として会員カード４が使用される例について説明したが、これに限らず、例えば記録媒体ＩＤを記録したＩＣチップが搭載された携帯電話端末が該会員用の記録媒体として使用されるようにしても良く、この場合には、玉貸ユニット２０や精算装置６０において、該携帯電話端末を近接させることにより受け付ける記録媒体受付手段が設けられる。なお上記の実施形態において、会員カード４を使用しないように構成しても良い。
【０１６１】
上記の実施形態において、ＩＣカードである会員カード４やＩＣコインであるビジタコイン５は、必ずしもＣＰＵを搭載している必要はないが、ＣＰＵを搭載しているものであっても良い。
【０１６２】
上記の実施形態では、遊技機がパチンコ機１０である例について説明したが、これに限らず、該遊技機は、例えば遊技媒体としてメダルを使用するスロットマシン，遊技媒体としてパチンコ玉を使用するスロットマシンであるパチロット，遊技媒体であるパチンコ玉が指触不能に封入された封入式のパチンコ機，パチンコ玉やメダルを用いることなく得点データを使用して遊技可能なパチンコ機やスロットマシン，遊技領域やパチンコ玉が画像にて表示される画像式のパチンコ機，リールが画像にて表示される画像式のスロットマシン等であっても良い。
【０１６３】
上記の実施形態では、貸与処理が玉貸処理である例について説明したが、これに限らず、該貸与処理は、前記メダルを貸与するメダル貸出処理や、前記封入式や画像式のパチンコ機やスロットマシンにおいて残額を遊技媒体としての得点に変換して遊技に使用させる処理等でも良い。
【０１６４】
上記の実施形態では、玉貸処理が行われた場合に、玉貸ユニット２０とパチンコ機１０との間でパチンコ玉の貸与に関する信号のやり取りが行われて、該パチンコ機１０に設けられた玉払出装置１３からパチンコ玉が払い出されて貸与される例について説明したが、これに限らず、玉貸ユニット２０に玉払出装置を設けて、パチンコ玉を払い出して貸与するようにしても良い。
【０１６５】
上記の実施形態では、図６又は図７に示すように、オンライン状態にある玉貸ユニット２０において、管理装置５０で管理されている残額を含む残額通知を予め受信して、該残額を残度数表示器１４及び残額表示器３０における表示用として制御部２１のＲＡＭで記憶しておき、玉貸操作を受け付けたことに基づいて玉貸処理を行い、管理装置５０に対して玉貸通知を送信する例について説明したが、これに限らず、残度数表示器１４及び残額表示器３０における表示を考慮しないのであれば、残額通知を予め受信せず、玉貸操作を受け付けてから管理装置５０に対して記録媒体ＩＤと使用額＋消費税額とを含む減算要求を送信し、該減算要求に応じて前記減算処理が行われた管理装置５０から玉貸許諾通知を受信したことに基づいて玉貸処理を行うようにしても良い。この場合における管理装置５０は、図６のＳ１１４や図７のＳ２２４に示す残額通知に代えて、残額を含まない入金完了通知を返信すれば良く、図８のＳ３０４に示す残額通知に代えて、残額を含まない端数額加算完了通知を返信すれば良い。
【０１６６】
上記の実施形態では、図６又は図７に示すように、玉貸通知に使用額と消費税額とを含めて管理装置５０に対して送信する例について説明したが、これに限らず、該玉貸通知に使用額のみを含めて管理装置５０に対して送信し、該使用額に対応する消費税額は該管理装置５０において算出するようにしても良く、この場合には、管理装置５０から玉貸ユニット２０に対して消費税率を配信する必要がなくなる。また管理装置５０が各玉貸ユニット２０における単位使用額を管理している場合（例えば各玉貸ユニット２０から送信されてきた単位使用額を各玉貸ユニット２０毎に管理している場合や、すべての玉貸ユニット２０における単位使用額が同一で該単位使用額を管理している場合や、管理装置５０で単位使用額を設定して管理し、該設定した単位使用額を各玉貸ユニット２０に配信する場合等）には、玉貸通知に玉貸操作が行われた旨のみを含めて管理装置に対して送信すれば良い。
【０１６７】
上記の実施形態では、図６のＳ１２４，又は図７のＳ２１４に示す減算処理が、玉貸処理の開始後に行われる例について説明したが、これに限らず、該減算処理は、玉貸処理の開始前に行われるようにしても良い。即ち、該減算処理が行われ、減算完了通知が玉貸ユニット２０に対して送信されてから、該玉貸ユニット２０において玉貸処理が開始されるようにしても良い。
【０１６８】
上記の実施形態では、図６のＳ１２４，又は図７のＳ２１４に示す減算処理において、使用額＋消費税額の合算額が管理残額から減算される例について説明したが、これに限らず、使用額と消費税額とを分けて管理残額から減算するようにしても良い。
【０１６９】
上記の実施形態では、玉貸ユニット２０において使用額分の玉貸処理が行われた場合に、該使用額＋消費税額（例えば５２５円）が記憶残額から一度に減算される例について説明したが、これに限らず、１度数分の玉貸処理が行われる毎に、税込単位額である１０５円が記憶残額から減算され、該減算が使用額分（例えば５回）繰り返し行われるようにしても良く、この場合には、残額表示器３０における記憶残額の表示も１０５円ずつ減算更新され、残度数表示器１４における残度数の表示も１度数ずつ減算更新される。
【０１７０】
上記の実施形態では、図６のＳ１３７〜Ｓ１３８に示すように、収納コイン保持部２７Ｐで保持しているビジタコイン５が返却されてから直ちに、コイン収納部２７ａで収納されている最下位のビジタコイン５が排出されて収納コイン保持部２７Ｐに保持される例について説明したが、これに限らず、収納コイン保持部２７Ｐで保持しているビジタコイン５が返却された後、貨幣が受け付けられたときに、コイン収納部２７ａで収納されている最下位のビジタコイン５が排出されて収納コイン保持部２７Ｐに保持されるようにしても良い。
【０１７１】
上記の実施形態では、図９〜図１１に示すように、返却操作を受け付けたことに基づいて、端数額が記録された記録媒体が排出される例について説明したが、これに限らず、一発貸しが行われる毎に、返却操作の受付によらずに、端数額が記録された記録媒体が排出されるようにしても良い。
【０１７２】
上記の実施形態では、図１２（ｂ）のＳ８０２に示すように、端数額が税込単位額未満であるか否かの判定が行われる例について説明したが、これに限らず、端数額が予め定められた一律の金額（例えば５００円）未満であるか否かの判定が行われるようにしても良い。また該判定は、精算装置６０でなく管理装置５０で行われるようにしても良く、この場合には、精算要求に含まれる端数額が予め定められた所定の金額未満であるか否かを判定する端数額判定手段が、管理装置５０に備えられる。
【０１７３】
上記の実施形態では、図１２（ｂ）のＳ８０４に示すように、管理装置５０において、精算装置６０から精算要求が送信されてくる毎に、精算可能期間内にオフライン状態が発生したか否かの判定が行われる例について説明したが、これに限らず、管理装置５０は、該判定を予め行っておくと共に、判定結果を予め精算装置６０に対して配信しておき、精算装置６０は、オフライン状態が発生した旨の判定結果が予め配信されてきていることを条件として端数額の精算を行うようにしても良い。
【０１７４】
上記の実施形態では、図１２（ｂ）のＳ８０３やＳ８０７に示すように、精算要求に端数額が含まれ、管理装置５０から管理残額と該端数額との合算額を含む精算許諾情報が返信されてくる例について説明したが、これに限らず、精算要求には端数額を含めず、管理装置５０からは管理残額のみを含む精算許諾情報を返信し、精算装置６０側で該精算許諾情報に含まれる管理残額と前記端数額との合算額を算出するようにしても良い。
【０１７５】
上記の実施形態では、精算装置６０において、精算が許諾された金額の全額が精算される例について説明したが、これに限らず、遊技者が希望する精算金額の入力を受け付けて、精算が許諾された金額の範囲内で該希望する精算金額が精算されるようにしても良い。
【図面の簡単な説明】
【０１７６】
【図１】図１は本発明に係る遊技用システムの一例を表す機能ブロック図である。
【図２】図２（ａ）は玉貸ユニット及びパチンコ機の一例を表す正面図であり、図２（ｂ）は同玉貸ユニットの断面右側面図であり、図２（ｃ）はＸ−Ｘ線断面図である。
【図３】図３は玉貸ユニットに設けられたビジタコインの取扱構造の部位を拡大して表す断面右側面図である。
【図４】図４は玉貸ユニットに設けられたビジタコインの取扱構造の部位を表す斜視図である。
【図５】図５（ａ）は精算装置の一例を表す斜視図であり、図５（ｂ）は精算装置に設けられたディスプレイの表示内容の一例を表す図である。
【図６】図６は管理装置とオンライン状態であり、記録媒体を受け付けていない玉貸ユニットにおける処理の一例を表す図である。
【図７】図７は管理装置とオンライン状態であり、端数額が記録されていない記録媒体を受け付けた玉貸ユニットにおける処理の一例を表す図である。
【図８】図８は管理装置とオンライン状態であり、端数額が記録されている記録媒体を受け付けた玉貸ユニットにおける処理の一例を表す図である。
【図９】図９は管理装置とオフライン状態であり、記録媒体を受け付けていない玉貸ユニットにおける処理の一例を表す図である。
【図１０】図１０は管理装置とオフライン状態であり、端数額が記録されていない記録媒体を受け付けた玉貸ユニットにおける処理の一例を表す図である。
【図１１】図１１は管理装置とオフライン状態であり、端数額が記録されている記録媒体を受け付けた玉貸ユニットにおける処理の一例を表す図である。
【図１２】図１２は記録媒体を受け付けた精算装置における処理の一例を表す図である。
【符号の説明】
【０１７７】
１…遊技用システム
２…紙幣
３…硬貨
４…会員カード
５…ビジタコイン
１０…パチンコ機
２０…玉貸ユニット
２１…制御部
２１ｂ…外部通信部
２２…紙幣識別機
２３…硬貨識別機
２４…記録媒体Ｒ／Ｗ
２５…コイン投入口
２６…上部アンテナ
２６ｄ…投入コイン返却通路
２６Ｐ…投入コイン保持部
２７…下部アンテナ
２７ａ…コイン収納部
２７ｄ…収納コイン返却通路
２７Ｐ…収納コイン保持部
２８…コイン返却口
５０…管理装置
５１…通信部
５２…制御部
５３…ディスプレイ
５４…入力装置
５５…ハードディスク
６０…精算装置
６１…通信部
６２…制御部
【図１】
2006326002.tif 000003
【図２】
2006326002.tif 000004
【図３】
2006326002.tif 000005
【図４】
2006326002.tif 000006
【図５】
2006326002.tif 000007
【図６】
2006326002.tif 000008
【図７】
2006326002.tif 000009
【図８】
2006326002.tif 000010
【図９】
2006326002.tif 000011
【図１０】
2006326002.tif 000012
【図１１】
2006326002.tif 000013
【図１２】
2006326002.tif 000014